(57)【要約】  管理サーバが、医療機器から、機器の準備情報、機器の性能情報、及び／又は、臨床イベント情報を受信するよう構成される。管理サーバは、ユーザが受信された情報を閲覧することを可能にするグラフィカルユーザインターフェース（ＧＵＩ）を提供することを容易にする。管理サーバはまた、構成アップデート及びソフトウェアアップデートが遠隔地から医療機器に提供されることも可能にし得る。
2018515832.tif 000002
【特許請求の範囲】
【請求項１】
医療機器を遠隔管理するためのシステムであって、前記システムは、
第１の場所に配置された医療機器であって、前記医療機器は、医療的状況における低頻度の使用のためのものであり、前記医療機器は、ネットワークを介して情報を伝送する第１通信コンポーネントを有する、医療機器と、
第２の場所に配置され、かつ、前記ネットワークに通信可能に結合されているサーバ機器であって、前記サーバ機器は、メモリ、及び前記メモリと通信可能に結合されているプロセッサを有し、前記メモリは、前記プロセッサにより実行された場合、前記プロセッサに少なくとも１つのコンポーネントを開始させる命令を含み、前記少なくとも１つのコンポーネントは、
機器の準備情報を含む前記情報を受信する第２通信コンポーネントと、
ユーザへ前記情報の表現を表示する、グラフィカルユーザインターフェース（ＧＵＩ）コンポーネントとを含む、
サーバ機器とを備え、
前記第１通信コンポーネントは更に、自動的に、かつ前記サーバ機器からの要求なしに、前記ネットワークを介して前記情報を伝送する、
システム。
【請求項２】
前記第２通信コンポーネントは、前記第１通信コンポーネントと双方向に通信する、請求項１に記載のシステム。
【請求項３】
前記医療機器はバッテリにより電力を供給され、前記機器の準備情報は前記バッテリの電池残量に関連する情報を含む、請求項１又は２に記載のシステム。
【請求項４】
前記機器の準備情報は、前記医療機器の少なくとも１つの患者インターフェースコンポーネントの電池残量に関連する情報を含む、請求項１から３のいずれか１項に記載のシステム。
【請求項５】
前記少なくとも１つの患者インターフェースコンポーネントは、少なくとも１つの除細動電極を含む、請求項４に記載のシステム。
【請求項６】
前記医療機器は、自動体外式除細動器（ＡＥＤ）を含む、請求項１から５のいずれか１項に記載のシステム。
【請求項７】
追加の医療機器を更に備え、前記追加の医療機器は前記サーバ機器を含む、請求項１から６のいずれか１項に記載のシステム。
【請求項８】
前記追加の医療機器は、自動体外式除細動器（ＡＥＤ）を含む、請求項７に記載のシステム。
【請求項９】
前記医療機器は緊急事態に使用するためのものである、請求項１から８のいずれか１項に記載のシステム。
【請求項１０】
前記ネットワークは、無線ローカルエリアネットワーク（ＷＬＡＮ）を含む、請求項１から９のいずれか１項に記載のシステム。
【請求項１１】
前記ＷＬＡＮは、ＷｉＦｉ（登録商標）ネットワークを含む、請求項１０に記載のシステム。
【請求項１２】
前記サーバ機器は更に、構成ファイル及びソフトウェアアップデートのうちの少なくとも１つを、前記医療機器に提供する、請求項１から１１のいずれか１項に記載のシステム。
【請求項１３】
（１）前記情報を前記医療機器から受信し、（２）前記情報を前記サーバ機器に提供する、追加のサーバ機器を更に備える、請求項１から１２のいずれか１項に記載のシステム。
【請求項１４】
前記メモリは第１メモリであり、前記医療機器は第２のメモリを有し、前記第２のメモリはスケジュールを含み、前記第１通信コンポーネントは更に、前記スケジュールに従って、自動的に、かつ前記サーバ機器からの要求なしに、前記ネットワークを介して前記情報を伝送する、請求項１から１３のいずれか１項に記載のシステム。
【請求項１５】
前記第１通信コンポーネントは更に、イベント又は状況が発生すると、自動的に、かつ前記サーバ機器からの要求なしに、前記ネットワークを介して前記情報を伝送する、請求項１から１４のいずれか１項に記載のシステム。
【請求項１６】
前記イベント又は状況は、前記医療機器の電源オフ、前記医療機器のドッキング、時間の経過、前記ネットワークを介して前記情報が伝送されてからの時間の経過、前記医療機器が使用された医療的イベントの結果、バッテリレベルの閾値より下への低下、及び、機器の準備不良の発生、からなるグループより選択される、複数のイベント又は状況のうちの１つ又は組み合わせである、請求項１５に記載のシステム。
【請求項１７】
医療機器を遠隔管理するためのシステムであって、前記システムは、
第１の場所に配置された医療機器であって、前記医療機器は、医療的状況における低頻度の使用のためのものであり、前記医療機器は、ネットワークを介して情報を伝送する第１通信コンポーネントを有する、医療機器と、
第２の場所に配置され、かつ、前記ネットワークに通信可能に結合されているサーバ機器であって、前記サーバ機器は、メモリ、及び前記メモリと通信可能に結合されているプロセッサを有し、前記メモリは、前記プロセッサにより実行された場合、前記プロセッサに少なくとも１つのコンポーネントを開始させる命令を含み、前記少なくとも１つのコンポーネントは、
機器の性能情報を含む前記情報を受信する第２通信コンポーネントと、
ユーザへ前記情報の表現を表示する、グラフィカルユーザインターフェース（ＧＵＩ）コンポーネントとを含む、
サーバ機器とを備え、
前記第１通信コンポーネントは更に、自動的に、かつ前記サーバ機器からの要求なしに、前記ネットワークを介して前記情報を伝送する、
システム。
【請求項１８】
前記第２通信コンポーネントは前記第１通信コンポーネントと双方向に通信する、請求項１７に記載のシステム。
【請求項１９】
前記医療機器は、バッテリにより電力を供給され、前記機器の準備情報は前記バッテリの電池残量に関連する情報を含む、請求項１７又は１８に記載のシステム。
【請求項２０】
前記機器の準備情報は、前記医療機器の少なくとも１つの患者インターフェースコンポーネントの電池残量に関連する情報を含む、請求項１７から１９のいずれか１項に記載のシステム。
【請求項２１】
前記少なくとも１つの患者インターフェースコンポーネントは、少なくとも１つの除細動電極を含む、請求項２０に記載のシステム。
【請求項２２】
前記医療機器は自動体外式除細動器（ＡＥＤ）を含む、請求項１７から２１のいずれか１項に記載のシステム。
【請求項２３】
追加の医療機器を更に備え、前記追加の医療機器は前記サーバ機器を含む、請求項１７から２２のいずれか１項に記載のシステム。
【請求項２４】
前記追加の医療機器は、自動体外式除細動器（ＡＥＤ）を含む、請求項２３に記載のシステム。
【請求項２５】
前記医療機器は緊急事態に使用するためのものである、請求項１７から２４のいずれか１項に記載のシステム。
【請求項２６】
前記ネットワークは、無線ローカルエリアネットワーク（ＷＬＡＮ）を含む、請求項１７から２５のいずれか１項に記載のシステム。
【請求項２７】
前記ＷＬＡＮは、ＷｉＦｉネットワークを含む、請求項２６に記載のシステム。
【請求項２８】
前記サーバ機器は更に、構成ファイル及びソフトウェアアップデートのうちの少なくとも１つを、前記医療機器に提供する、請求項１７から２７のいずれか１項に記載のシステム。
【請求項２９】
（１）前記情報を前記医療機器から受信し、（２）前記情報を前記サーバ機器に提供する、追加のサーバ機器を更に備える、請求項１７から２８のいずれか１項に記載のシステム。
【請求項３０】
前記メモリは第１メモリであり、前記医療機器は第２のメモリを有し、前記第２のメモリはスケジュールを含み、前記第１通信コンポーネントは更に、前記スケジュールに従って、自動的に、かつ前記サーバ機器からの要求なしに、前記ネットワークを介して前記情報を伝送する、請求項１７から２９のいずれか１項に記載のシステム。
【請求項３１】
前記第１通信コンポーネントは更に、イベント又は状況が発生すると、自動的に、かつ前記サーバ機器からの要求なしに、前記ネットワークを介して前記情報の伝送をする、請求項１７から３０のいずれか１項に記載のシステム。
【請求項３２】
前記イベント又は状況は、前記医療機器の電源オフ、前記医療機器のドッキング、時間の経過、前記ネットワークを介して前記情報が伝送されてからの時間の経過、前記医療機器が使用された医療的イベントの結果、バッテリレベルの閾値より下への低下、及び、機器の準備不良の発生、からなるグループより選択される、複数のイベント又は状況のうちの１つ又は組み合わせである、請求項３１に記載のシステム。
【請求項３３】
医療的状況における低頻度の使用のためのものである医療機器を遠隔管理するためのシステムであって、前記医療機器は第１の場所にあり、前記システムは、
メモリと、
前記メモリに通信可能に結合されているプロセッサであって、前記メモリは、前記プロセッサにより実行された場合、前記プロセッサに少なくとも１つのコンポーネントを開始させる命令を有し、前記少なくとも１つのコンポーネントは、
前記医療機器が処置モードでない間に前記医療機器から情報を受信する通信コンポーネントであって、前記情報は、前記医療機器が処置モードであった間に記録された臨床イベント情報を含む、通信コンポーネントと、
第２の場所にいるユーザへ前記情報の表現を表示する、グラフィカルユーザインターフェース（ＧＵＩ）コンポーネントと
を含む、
プロセッサとを備える、
システム。
【請求項３４】
前記医療機器は、自動体外式除細動器（ＡＥＤ）を含む、請求項３３に記載のシステム。
【請求項３５】
前記通信コンポーネントは更に、自動的に、かつ前記ＡＥＤからの前記情報を要求することなしに、前記ＡＥＤから前記情報を受信する、請求項３４に記載のシステム。
【請求項３６】
前記通信コンポーネントは更に、自動的に、かつ前記医療機器からの前記情報を要求することなしに、前記医療機器から前記情報を受信する、請求項３３から３５のいずれか１項に記載のシステム。
【請求項３７】
前記メモリは第１メモリであり、前記医療機器は第２のメモリを含み、前記第２のメモリはスケジュールを含み、前記通信コンポーネントは更に、前記スケジュールに従って、自動的かつ前記医療機器からの前記情報を要求することなしに、前記医療機器からの前記情報の受信をする、請求項３６に記載のシステム。
【請求項３８】
前記通信コンポーネントは更に、イベント又は状況が発生すると、自動的に、かつ前記医療機器からの前記情報を要求することなしに、前記医療機器から前記情報を受信する、請求項３６又は３７に記載のシステム。
【請求項３９】
前記イベント又は状況は、前記医療機器の電源オフ、前記医療機器のドッキング、時間の経過、ネットワークを介して前記情報が伝送されてからの時間の経過、前記医療機器が使用された医療的イベントの結果、バッテリレベルの閾値より下への低下、及び、機器の準備不良の発生、からなるグループより選択される、複数のイベント又は状況のうちの１つ又は組み合わせである、請求項３８に記載のシステム。
【請求項４０】
前記臨床イベント情報は、患者に対して前記ＡＥＤが使用された臨床イベントの間に記録された、前記患者に関連する少なくとも１つの生理的パラメータを含む、請求項３４又は３５に記載のシステム。
【請求項４１】
プロセッサにより実行された場合に、少なくとも１つのプログラムコンポーネントを前記プロセッサに開始させるためのプログラムであって、前記少なくとも１つのプログラムコンポーネントは、
医療機器から情報を受信する通信コンポーネントであって、前記情報は、臨床イベント情報、機器の性能情報、及び機器の準備情報のうちの２つ以上を含む、通信コンポーネントと、
前記情報の管理を可能にする機器ダッシュボードと
を有する、
プログラム。
【請求項４２】
前記機器の準備情報は、前記医療機器のバッテリ、及び少なくとも１つの患者インターフェースコンポーネントのうちの少なくとも１つの電池残量に関連する情報を有する、請求項４１に記載のプログラム。
【請求項４３】
前記少なくとも１つの患者インターフェースコンポーネントは、除細動電極を有する、請求項４２に記載のプログラム。
【請求項４４】
前記情報は臨床イベント情報、機器の性能情報、及び機器の準備情報を有する、請求項４１から４３のいずれか１項に記載のプログラム。
【請求項４５】
前記医療機器は、自動体外式除細動器（ＡＥＤ）を有する、請求項４１から４４のいずれか１項に記載のプログラム。
【請求項４６】
前記少なくとも１つのコンポーネントは更に、構成ファイルを前記医療機器に提供する構成コンポーネントを有する、請求項４１から４５のいずれか１項に記載のプログラム。
【請求項４７】
前記少なくとも１つのコンポーネントは更に、ソフトウェアアップデートを前記医療機器に提供するアップデートコンポーネントを含む、請求項４１から４６のいずれか１項に記載のプログラム。
【請求項４８】
第１の場所に配置された医療機器を遠隔管理するためのシステムであって、前記医療機器は、医療的状況における低頻度の使用のためのものであり、前記システムは、
ネットワークに通信可能に結合されているサーバ機器であって、前記サーバ機器は、メモリ及び前記メモリに通信可能に結合されているプロセッサを含み、前記メモリは、前記プロセッサにより実行された場合、前記プロセッサに少なくとも１つのコンポーネントを開始させる命令を含み、前記少なくとも１つのコンポーネントは、
前記医療機器と双方向に通信する通信コンポーネントと、
前記医療機器の遠隔構成を可能にする構成コンポーネントであって、前記構成コンポーネントは更に、前記医療機器から、機器の種類、及び現行のソフトウェアのバージョンのうちの１又は複数をインディケートするメッセージを受信し、インディケーションに基づいて前記医療機器を自動的に構成する構成コンポーネントと、
第２の場所にいるユーザと、前記構成コンポーネント及び前記通信コンポーネントのうちの少なくとも１つとの間のインタラクションを可能にする、グラフィカルユーザインターフェース（ＧＵＩ）と
を含むサーバ機器、を有するシステム。
【請求項４９】
前記少なくとも１つのコンポーネントは更に、前記医療機器上で動作しているソフトウェアの遠隔管理を可能にするアップデートコンポーネントを含む、請求項４８に記載のシステム。
【請求項５０】
前記通信コンポーネントは更に、前記医療機器から情報を受信し、前記情報は臨床イベント情報、機器の性能情報、及び機器の準備情報のうちの２つ以上を含む、請求項４８又は４９に記載のシステム。
【請求項５１】
前記情報は、臨床イベント情報、機器の性能情報、及び機器の準備情報を含む、請求項５０に記載のシステム。
【請求項５２】
前記機器の準備情報は、前記医療機器のバッテリ、及び少なくとも１つの患者インターフェースコンポーネントのうちの少なくとも１つの電池残量に関連する情報を含む、請求項５０又は５１に記載のシステム。
【請求項５３】
前記少なくとも１つの患者インターフェースコンポーネントは、除細動電極を含む、請求項５２に記載のシステム。
【請求項５４】
前記医療機器は、自動体外式除細動器（ＡＥＤ）を含む、請求項４８から５３のいずれか１項に記載のシステム。
【請求項５５】
第１の場所に配置された医療機器を遠隔管理するためのシステムであって、前記医療機器は医療的状況における低頻度の使用のためのものであり、前記システムは、
メモリと、
前記メモリに通信可能に結合されているプロセッサであって、前記メモリは、前記プロセッサにより実行された場合、前記プロセッサに少なくとも１つのコンポーネントを開始させる命令を有し、前記少なくとも１つのコンポーネントは、
前記医療機器からの情報を受信する通信コンポーネントであって、前記情報は機器の準備情報、機器の性能情報、及び臨床イベント情報のうちの２つ以上を含む、通信コンポーネントと、
ユーザへの前記情報の表現を表示する、グラフィカルユーザインターフェース（ＧＵＩ）コンポーネントと
を含む、プロセッサと
を備える
システム。
【請求項５６】
前記通信コンポーネントは前記医療機器と双方向に通信する、請求項５５に記載のシステム。
【請求項５７】
前記通信コンポーネントは、前記医療機器から前記情報を自動的に伝送する、請求項５５又は５６に記載のシステム。
【請求項５８】
前記医療機器は、バッテリにより電力を供給され、前記機器の準備情報は前記バッテリの電池残量に関連する情報を含む、請求項５５から５７のいずれか１項に記載のシステム。
【請求項５９】
前記機器の準備情報は、前記医療機器の少なくとも１つの患者インターフェースコンポーネントの電池残量に関連する情報を含む、請求項５５から５８のいずれか１項に記載のシステム。
【請求項６０】
前記少なくとも１つの患者インターフェースコンポーネントは、少なくとも１つの除細動電極を含む、請求項５９に記載のシステム。
【請求項６１】
前記医療機器は、自動体外式除細動器（ＡＥＤ）を含む、請求項５５から６０のいずれか１項に記載のシステム。
【請求項６２】
前記医療機器は緊急事態に使用するためのものである、請求項５５から６１のいずれか１項に記載のシステム。
【請求項６３】
前記情報は臨床イベント情報、機器の性能情報、及び機器の準備情報を含む、請求項５５から６２のいずれか１項に記載のシステム。
【請求項６４】
前記臨床イベント情報は、前記医療機器が使用された臨床イベントの間に記録された、患者に関連する少なくとも１つの生理的パラメータを含む、請求項５５から６３のいずれか１項に記載のシステム。
【請求項６５】
前記少なくとも１つのコンポーネントは更に、構成ファイルを前記医療機器に提供する構成コンポーネントを含む、請求項５５から６４のいずれか１項に記載のシステム。
【請求項６６】
前記少なくとも１つのコンポーネントは更に、ソフトウェアアップデートを前記医療機器に提供するアップデートコンポーネントを含む、請求項５５から６５のいずれか１項に記載のシステム。
【請求項６７】
前記通信コンポーネントは更に、自動的に、かつ要求することなしに、前記医療機器から前記情報を受信する、請求項５５から６６のいずれか１項に記載のシステム。
【請求項６８】
前記メモリは第１メモリであり、前記医療機器は第２のメモリを有し、前記第２のメモリはスケジュールを含み、前記通信コンポーネントは更に、前記スケジュールに従って、自動的に、かつ要求なしに、前記医療機器から前記情報を受信する、請求項６７に記載のシステム。
【請求項６９】
前記通信コンポーネントは更に、イベント又は状況が発生すると、自動的に、かつ要求なしに、前記医療機器から前記情報を受信する、請求項６７又は６８に記載のシステム。
【請求項７０】
前記イベント又は状況は、前記医療機器の電源オフ、前記医療機器のドッキング、時間の経過、ネットワークを介して前記情報が伝送されてからの時間の経過、前記医療機器が使用された医療的イベントの結果、バッテリレベルの閾値より下への低下、及び、機器の準備不良の発生、からなるグループより選択される、複数のイベント又は状況のうちの１つ又は組み合わせである、請求項６９に記載のシステム。
【発明の詳細な説明】
【技術分野】
【０００１】
［関連出願の相互参照］
本願は２０１５年３月３０日に出願された米国仮特許出願第６２／１４０３９８号明細書の利益を主張するものであり、あらゆる目的に対して、その内容全体が参照によって本明細書に組み込まれるものとする。
【０００２】
本開示の実施形態は、一般的に医療機器のモニタリング及び管理に関する。
【背景技術】
【０００３】
医療的状況（例えば、緊急事態）における低頻度の使用のために構成される医療機器は、医療施設以外の場所に配置されることが多く、バッテリにより電力を供給され、時には、限定された使用寿命を有する電極等の患者インターフェースコンポーネントに頼ることもあり得る。例えば自動体外式除細動器（ＡＥＤ）等の従来機器は、機器が必要なときに動作することを確実にするための自動自己診断を採用し得る。しかし、これらの機器は通常、自己診断結果をローカルメモリに格納しており、従って自己診断不良が認識されないことが多くある。例えば、介助者が除細動器を使用して命を救おうとする際に、当該除細動器の不良が検出されるかもしれない。更に、患者のケアが移管されている場合、臨床イベント情報を共有することにより介助者は恩恵を受ける。
【発明の概要】
【０００４】
本開示の一実施形態による医療機器を遠隔管理するためのシステムであって、第１の場所に配置された医療機器であって、当該医療機器は医療的状況における低頻度の使用のために構成され、当該医療機器はネットワークを介しての情報伝送を容易にするよう構成される第１通信コンポーネントを有する、医療機器と、第２の場所に配置され、かつ、通信可能にネットワークに結合しているサーバ機器であって、当該サーバ機器は、メモリ及びそのメモリと通信可能に結合されているプロセッサを含み、当該メモリは、プロセッサにより実行された場合、プロセッサに少なくとも１つのコンポーネントを開始させる命令を含み、当該少なくとも１つのコンポーネントは、情報を受信するよう構成される第２通信コンポーネントを含み、当該情報は、機器の準備情報を有する、サーバ機器と、ユーザへの当該情報の表現の表示を容易にするよう構成される、グラフィカルユーザインターフェース（ＧＵＩ）コンポーネントと、自動的に、かつサーバ機器からの要求なしに、ネットワークを介して当該情報の伝送を容易にするよう更に構成される、当該第１通信コンポーネントとを含むシステム。本開示の一実施形態において、メモリは第１メモリであり、医療機器は第２のメモリを含み、第２のメモリはスケジュールを含む。第１通信コンポーネントは、スケジュールに従って、自動的に、かつサーバ機器からの要求なしに、ネットワークを介して当該情報の伝送を容易にするよう更に構成される。本開示の他の実施形態において、第１通信コンポーネントは、イベント又は状況が発生すると、自動的に、かつサーバ機器からの要求なしに、ネットワークを介して当該情報の伝送を容易にするよう更に構成される。そのような場合、イベント又は状況は、医療機器の電源オフ、医療機器のドッキング、時間の経過、ネットワークを介して情報が伝送されてからの時間の経過、医療機器が使用された医療的イベントの結果、バッテリレベルの閾値より下への低下、及び、機器の準備不良の発生、を含むグループより選択される、複数のイベント又は状況のうちの１つ又は組み合わせであり得る。
【０００５】
第２通信コンポーネントは第１通信コンポーネントとの双方向通信を容易にする、段落［０００４］に記載のシステム。
【０００６】
医療機器がバッテリにより電力を供給され、機器の準備情報はバッテリの電池残量に関連する情報を含む、段落［０００４］から［０００５］のいずれかに記載のシステム。
【０００７】
機器の準備情報は、医療機器の少なくとも１つの患者インターフェースコンポーネントの電池残量に関連する情報を含む、段落［０００４］から［０００６］のいずれかに記載のシステム。
【０００８】
少なくとも１つの患者インターフェースコンポーネントは少なくとも１つの除細動電極を含む、段落［０００４］から［０００７］のいずれかに記載のシステム。
【０００９】
医療機器は自動体外式除細動器（ＡＥＤ）を含む、段落［０００４］から［０００８］のいずれかに記載のシステム。
【００１０】
追加の医療機器を更に有し、当該追加の医療機器はサーバ機器を含む、段落［０００４］から［０００９］のいずれかに記載のシステム。
【００１１】
追加の医療機器は自動体外式除細動器（ＡＥＤ）を含む、段落［０００４］から［００１０］のいずれかに記載のシステム。
【００１２】
医療機器は緊急事態に使用するよう構成される、段落［０００４］から［００１１］のいずれかに記載のシステム。
【００１３】
ネットワークは無線ローカルエリアネットワーク（ＷＬＡＮ）を含む、段落［０００４］から［００１２］のいずれかに記載のシステム。
【００１４】
ＷＬＡＮはＷｉＦｉ（登録商標）ネットワークを含む、段落［０００４］から［００１３］のいずれかに記載のシステム。
【００１５】
サーバ機器は、構成ファイル及びソフトウェアアップデートのうちの少なくとも１つを、医療機器に提供するよう更に構成される、段落［０００４］から［００１４］のいずれかに記載のシステム。
【００１６】
追加のサーバ機器を更に含み、当該サーバ機器は（１）情報を医療機器から受信し、（２）情報をサーバ機器に提供するよう構成される、段落［０００４］から［００１５］のいずれかに記載のシステム。
【００１７】
本開示の一実施形態による医療機器を遠隔管理するためのシステムであって、第１の場所に配置された医療機器であって、当該医療機器は医療的状況における低頻度の使用のために構成され、当該医療機器はネットワークを介しての情報伝送を容易にするよう構成される第１通信コンポーネントを有する、医療機器と、第２の場所に配置され、かつ、通信可能にネットワークに結合しているサーバ機器であって、当該サーバ機器は、メモリ及びそのメモリと通信可能に結合されているプロセッサを含み、当該メモリは、プロセッサにより実行された場合、プロセッサに少なくとも１つのコンポーネントを開始させる命令を含み、当該少なくとも１つのコンポーネントは、情報を受信するよう構成される第２通信コンポーネントを含み、当該情報は、機器の性能情報を有する、サーバ機器と、ユーザへの当該情報の表現の表示を容易にするよう構成される、グラフィカルユーザインターフェース（ＧＵＩ）コンポーネントと、自動的に、かつサーバ機器からの要求なしに、ネットワークを介して当該情報の伝送を容易にするよう更に構成される、当該第１通信コンポーネントとを含むシステム。本開示の一実施形態において、メモリは第１メモリであり、医療機器は第２のメモリを含み、第２のメモリはスケジュールを含む。第１通信コンポーネントは、スケジュールに従って、自動的に、かつサーバ機器からの要求なしに、ネットワークを介して当該情報の伝送を容易にするよう更に構成される。本開示の他の実施形態において、第１通信コンポーネントは、イベント又は状況が発生すると、自動的に、かつサーバ機器からの要求なしに、ネットワークを介して当該情報の伝送を容易にするよう更に構成される。そのような場合、イベント又は状況は、医療機器の電源オフ、医療機器のドッキング、時間の経過、ネットワークを介して情報が伝送されてからの時間の経過、医療機器が使用された医療的イベントの結果、バッテリレベルの閾値より下への低下、及び、機器の準備不良の発生、を含むグループより選択される、複数のイベント又は状況のうちの１つ又は組み合わせであり得る。
【００１８】
第２通信コンポーネントは第１通信コンポーネントとの双方向通信を容易にする、段落［０００４］から［００１７］のいずれかに記載のシステム。
【００１９】
医療機器がバッテリにより電力を供給され、機器の準備情報はバッテリの電池残量に関連する情報を含む、段落［０００４］から［００１８］のいずれかに記載のシステム。
【００２０】
機器の準備情報は、医療機器の少なくとも１つの患者インターフェースコンポーネントの電池残量に関連する情報を含む、段落［０００４］から［００１９］のいずれかに記載のシステム。
【００２１】
少なくとも１つの患者インターフェースコンポーネントは少なくとも１つの除細動電極を含む、段落［０００４］から［００２０］のいずれかに記載のシステム。
【００２２】
医療機器は自動体外式除細動器（ＡＥＤ）を含む、段落［０００４］から［００２１］のいずれかに記載のシステム。
【００２３】
追加の医療機器はサーバ機器を有し、追加の医療機器を更に含む、段落［０００４］から［００２２］のいずれかに記載のシステム。
【００２４】
追加の医療機器は自動体外式除細動器（ＡＥＤ）を含む、段落［０００４］から［００２３］のいずれかに記載のシステム。
【００２５】
医療機器は緊急事態に使用するよう構成される、段落［０００４］から［００２４］のいずれかに記載のシステム。
【００２６】
ネットワークは無線ローカルエリアネットワーク（ＷＬＡＮ）を含む、段落［０００４］から［００２５］のいずれかに記載のシステム。
【００２７】
ＷＬＡＮはＷｉＦｉネットワークを含む、段落［０００４］から［００２６］のいずれかに記載のシステム。
【００２８】
サーバ機器は、構成ファイル及びソフトウェアアップデートのうちの少なくとも１つを、医療機器に提供するよう更に構成される、段落［０００４］から［００２７］のいずれかに記載のシステム。
【００２９】
（１）医療機器から情報を受信し、（２）情報をサーバ機器に提供するよう構成される、追加のサーバ機器を更に含む、段落［０００４］から［００２８］のいずれかに記載のシステム。
【００３０】
本開示の実施形態による、医療的状況における低頻度の使用のために構成される医療機器を遠隔管理するためのシステムであって、当該医療機器は第１の場所にあり、当該システムは、メモリと、当該メモリに通信可能に結合されているプロセッサであって、当該メモリは、プロセッサにより実行された場合、少なくとも１つのコンポーネントを開始させる命令を含み、当該少なくとも１つのコンポーネントは、当該医療機器が処置モードでない間に医療機器からの情報を受信するよう構成される通信コンポーネントを含み、当該情報は、当該医療機器が処置モードであった間に記録された臨床イベント情報を含む、プロセッサと、第２の場所にいるユーザへの当該情報の表現の表示を容易にするよう構成される、グラフィカルユーザインターフェース（ＧＵＩ）コンポーネントとを有するシステム。
【００３１】
医療機器は自動体外式除細動器（ＡＥＤ）である、段落［０００４］から［００３０］のいずれかに記載のシステム。
【００３２】
通信コンポーネントは、自動的に、かつ要求することなしに、ＡＥＤから情報を受信するよう更に構成される、段落［０００４］から［００３１］のいずれかに記載のシステム。
【００３３】
臨床イベント情報は、患者に対してＡＥＤが使用される臨床イベントの間に記録される、当該患者に関連する少なくとも１つの生理的パラメータを含む、段落［０００４］から［００３２］のいずれかに記載のシステム。
【００３４】
医療機器は、医療的状況における低頻度の使用のために構成され、ネットワークに通信可能に結合されているサーバ機器であって、当該サーバ機器はメモリ及び当該メモリに通信可能に結合されているプロセッサを含み、当該メモリは、プロセッサにより実行された場合、プロセッサに少なくとも１つのコンポーネントを開始させる命令を含み、当該少なくとも１つのコンポーネントは、当該医療機器との双方向通信を容易にするよう構成される通信コンポーネントを含む、サーバ機器と、当該医療機器の遠隔構成を容易にするよう構成される構成コンポーネントであって、当該構成コンポーネントは、医療機器から、機器の種類、及び現行のソフトウェアのバージョンの１又は複数をインディケートするメッセージを受信し、当該インディケーションに基づいて医療機器を自動的に構成するよう更に構成される、構成コンポーネントと、第２の場所にいるユーザと、構成コンポーネント及び通信コンポーネントのうちの少なくとも１つとの間のインタラクションを容易にするよう構成される、グラフィカルユーザインターフェース（ＧＵＩ）とを含む、本開示の実施形態による、第１の場所に配置された医療機器を遠隔管理するためのシステム。
【００３５】
少なくとも１つのコンポーネントは、医療機器上で動作しているソフトウェアの遠隔管理を容易にするよう構成されるアップデートコンポーネントを更に含む、段落［０００４］から［００３４］のいずれかに記載のシステム。
【００３６】
通信コンポーネントは、医療機器から情報を受信するよう更に構成され、当該情報は臨床イベント情報、機器の性能情報、及び機器の準備情報のうちの２つ以上を含む、段落［０００４］から［００３５］のいずれかに記載のシステム。
【００３７】
情報は臨床イベント情報、機器の性能情報、及び機器の準備情報を含む、段落［０００４］から［００３６］のいずれかに記載のシステム。
【００３８】
機器の準備情報は、バッテリと医療機器の少なくとも１つの患者インターフェースコンポーネントとのうちの少なくとも１つの電池残量に関連する情報を含む、段落［０００４］から［００３７］のいずれかに記載のシステム。
【００３９】
少なくとも１つの患者インターフェースコンポーネントは除細動電極を含む、段落［０００４］から［００３８］のいずれかに記載のシステム。
【００４０】
医療機器は自動体外式除細動器（ＡＥＤ）を含む、段落［０００４］から［００３９］のいずれかに記載のシステム。
【００４１】
本開示の一実施形態による、第１の場所に配置された医療機器を遠隔管理するためのシステムであって、当該医療機器は、医療的状況における低頻度の使用のために構成され、当該システムは、メモリと、当該メモリに通信可能に結合されているプロセッサであって、当該メモリは、当該プロセッサにより実行された場合、プロセッサに少なくとも１つのコンポーネントを開始させる命令を含む、当該少なくとも１つのコンポーネントは、当該医療機器からの情報を受信するよう構成される通信コンポーネントを含み、当該情報は、機器の準備情報、機器の性能情報、及び臨床イベント情報のうちの２つ以上を含む、プロセッサと、ユーザへの当該情報の表現の表示を容易にするよう構成される、グラフィカルユーザインターフェース（ＧＵＩ）コンポーネントとを有するシステム。
【００４２】
通信コンポーネントは医療機器との双方向通信を容易にする、段落［０００４］から［００４１］のいずれかに記載のシステム。
【００４３】
通信コンポーネントは、医療機器からの情報の自動伝送を容易にする、段落［０００４］から［００４２］のいずれかに記載のシステム。
【００４４】
医療機器はバッテリにより電力を供給され、機器の準備情報はバッテリの電池残量に関連する情報を含む、段落［０００４］から［００４３］のいずれかに記載のシステム。
【００４５】
機器の準備情報は医療機器の少なくとも１つの患者インターフェースコンポーネントの電池残量に関連する情報を含む、段落［０００４］から［００４４］のいずれかに記載のシステム。
【００４６】
少なくとも１つの患者インターフェースコンポーネントは少なくとも１つの除細動電極を含む、段落［０００４］から［００４５］のいずれかに記載のシステム。
【００４７】
医療機器は自動体外式除細動器（ＡＥＤ）を含む、段落［０００４］から［００４６］のいずれかに記載のシステム。
【００４８】
医療機器は緊急事態に使用するよう構成される、段落［０００４］から［００４７］のいずれかに記載のシステム。
【００４９】
情報は、臨床イベント情報と、機器の性能情報と、機器の準備情報とを含む、段落［０００４］から［００４８］のいずれかに記載のシステム。
【００５０】
臨床イベント情報は、医療機器が使用された臨床イベントの間に記録された、患者に関連する少なくとも１つの生理的パラメータを含む、段落［０００４］から［００４９］のいずれかに記載のシステム。
【００５１】
少なくとも１つのコンポーネントは、構成ファイルを医療機器に提供することを容易にするよう構成される構成コンポーネントを更に含む、段落［０００４］から［００５０］のいずれかに記載のシステム。
【００５２】
少なくとも１つのコンポーネントは、医療機器にソフトウェアアップデートを提供することを容易にするよう構成されるアップデートコンポーネントを更に含む、段落［０００４］から［００５１］のいずれかに記載のシステム。
【００５３】
本開示の実施形態は、１又は複数のコンピュータ可読媒体であって、プロセッサにより実行された場合、プロセッサに少なくとも１つのプログラムコンポーネントをプロセッサに開始させる、コンピュータ実行可能命令が当該コンピュータ可読媒体上に実装された、１又は複数のコンピュータ可読媒体を備え、当該少なくとも１つのプログラムコンポーネントは、医療機器から情報を受信するよう構成される通信コンポーネントであって、当該情報は、臨床イベント情報、機器の性能情報、及び機器の準備情報のうちの２つ以上を含む通信コンポーネントと、情報の管理を容易にするよう構成される機器ダッシュボードとを含む。
【００５４】
機器の準備情報は、バッテリと医療機器の少なくとも１つの患者インターフェースコンポーネントとのうちの少なくとも１つの電池残量に関連する情報を含む、段落［００５３］に記載の媒体。
【００５５】
少なくとも１つの患者インターフェースコンポーネントは除細動電極を含む、段落［００５３］から［００５４］のいずれかに記載の媒体。
【００５６】
情報は臨床イベント情報、機器の性能情報、及び機器の準備情報を含む、段落［００５３］から［００５５］のいずれかに記載の媒体。
【００５７】
医療機器は自動体外式除細動器（ＡＥＤ）を含む、段落［００５３］から［００５６］のいずれかに記載の媒体。
【００５８】
少なくとも１つのコンポーネントは、構成ファイルを医療機器に提供することを容易にするよう構成される構成コンポーネントを更に含む、段落［００５３］から［００５７］のいずれかに記載の媒体。
【００５９】
少なくとも１つのコンポーネントは、医療機器にソフトウェアアップデートを提供することを容易にするよう構成されるアップデートコンポーネントを更に含む、段落［００５３］から［００５８］のいずれかに記載の媒体。
【００６０】
複数の実施形態が開示されているが、本発明のその他の実施形態も、例示的な実施形態を説明する以下の詳細な説明より当業者には明らかになるであろう。従って、図面及び詳細な説明は、本質的に例示的なものであり、限定するものではないとみなされるべきである。
【図面の簡単な説明】
【００６１】
【図１】本開示の実施形態による例示的な動作環境を示す。
【００６２】
【図２】本開示の実施形態による例示的なコンピューティング機器を示す。
【００６３】
【図３】本開示の実施形態による例示的な動作環境を示す。
【００６４】
【図４】本開示の実施形態による例示的な医療機器の管理の方法を示すフロー図である。
【００６５】
【図５】本開示の実施形態による動作環境の例示的なオペレーションを示す。
【００６６】
本発明は様々な変更及び代替的な形態に対応可能であるが、複数の特定の実施形態が例として図面に示されており、以下に詳細に説明される。しかし、本発明は説明される複数の特定の実施形態に限定されるものではない。それどころか、本発明は、添付の特許請求の範囲によって定められる本発明の範囲に含まれる全ての変更例、均等例、及び代替例を包含するよう意図されている。
【００６７】
「ブロック」という用語は、本明細書において、例示的に採用される異なるコンポーネントを意味するために用いられ得るが、個々の段階の順序を明示的に参照しない限り、また、参照する場合をのぞき、本明細書に開示される様々な段階の中で、いずれかの要件又は特定の順序を意味するものとして解釈されるべきではない。
【発明を実施するための形態】
【００６８】
様々な種類の施設（例えば、病院、学校、オフィスビル、飛行機、バス等）は、医療的状況における低頻度の使用のために構成される１又は複数の医療機器を備え得る。本明細書において用いられるように、「医療的状況」及び「医療的イベント」という語句は、医療的な注意が求められる、患者が医療的な問題を経験する、又は、患者が治療若しくはケアを受ける、あらゆる状況又はイベントを含み得ること、及び、例えば緊急事態を含むこと、を指すためにその最も広い意味で用いられる。限定するものではないが、例えば、患者が医療的症状を経験し、緊急サービス（例えば緊急医療サービス）への通報がなされたときに医療的イベントが開始し得て、患者が救助され、治療され、搬送され、及び／又は解放されたときに医療的イベントが終了し得る。医療的イベント又は状況が、例えば緊急搬送を含む、医療的イベント内の様々なイベントを含み得る。医療的状況における低頻度の使用のために構成される医療機器は、一般的に連続的に使用されず、より低い頻度で使用される医療機器を含む。「低頻度の使用」とは、その語句が本明細書において用いられるように、使用と使用の間にある一定の期間を有する断続的な使用、数回の使用、１回の使用、使用せず、及び／又は同様のものを含み得る。例えば、自動体外式除細動器（ＡＥＤ）は、心停止の患者を伴う医療的状況で使用されるよう設計されているが、たとえ発生する場合にも、ある場所で頻繁に発生するイベントではない。従って、たとえあったとしても、たった１度使用されるまで、ＡＥＤは、数年間使用されないままということがあり得る。他の状況において、そのような医療機器は時折使用されるのみであり得る。
【００６９】
こうした種類の医療機器は、頻繁に使用される必要がなくてよいため、供用開始されて長い期間保守されていないことが良くある。しかしながら、当該医療機器が必要とされる場合、ユーザはそれが適切に機能するものと信頼している。ＡＥＤ等の医療機器は、最適な機能性及び性能のための定期的な保守及び／又はモニタリングリングにより恩恵を受ける。本発明の実施形態は、そのような医療機器の状況の遠隔モニタリングリングを容易にする。更に、医療機器が使用されるイベントに続き、対応者又は他の臨床医は、その使用の間に生成される臨床イベント情報を閲覧したいと希望することが良くある。本発明の実施形態は、この種類の情報を取り込み、管理することもまた容易にする。
【００７０】
実施形態によると、医療機器（例えば、ＡＥＤ）は、自己診断情報及び／又は臨床イベント情報等を、例えば ｗｅｂベースであり得る医療機器の管理サービスに関連するサーバに伝送するよう構成される。管理サービスは、医療機器から受信された情報、医療機器に関する情報、医療機器のためのソフトウェアアップデート、医療機器のための構成アップデート、及び／又は臨床イベント情報等に関する情報を、ユーザが閲覧、操作、変換、集約、分析及び／又は管理することを可能にするよう構成され得る。実施形態において、管理サービスは、ユーザの日常的な活動に組み入れられるよう、及び、医療機器構成の調整、医療機器ソフトウェアのアップデート、サイトコンプライアンスのアップデート及び／又は保守、機器の準備及び／又は機器の性能を閲覧すること、臨床イベント情報を閲覧すること、及び／又は地理的エリアにおける機器の位置を閲覧すること等、を便利に容易にするよう構成される。
【００７１】
図１は、本発明の実施形態による例示的な動作環境１００（及び、いくつかの実施形態においては、本発明の態様）を、例として示す。図１に示されるように、例示的な動作環境１００は、１又は複数のネットワーク１１０を介して１又は複数の管理サーバ１０８と通信する、多数の医療機器１０２、１０４及び１０６を含み得る。ネットワーク１１０は、任意の数の異なる種類の通信ネットワークであり得る、又はそれを含み得る。通信ネットワークとは、例えば、ショートメッセージサービス（ＳＭＳ）、ローカルエリアネットワーク（ＬＡＮ）、無線ＬＡＮ（ＷＬＡＮ）、ワイドエリアネットワーク（ＷＡＮ）、インターネット、ピアツーピア（Ｐ２Ｐ）ネットワーク、２つ以上の機器間の直接有線接続（例えば、ＲＳ−２３２接続）、及び／又は、２つ以上の機器間の直接無線接続（例えば、がＢｌｕｅｔｏｏｔｈ（登録商標）接続）等である。実施形態において、ネットワーク１１０は複数のネットワークの組み合わせであり得る。
【００７２】
医療機器１０２、１０４、及び／又は１０６は、緊急事態又は医療的状況における低頻度の使用のために構成され得る。例えば、医療機器１０２、１０４及び１０６は、例えば、自動体外式除細動器（ＡＥＤ）及び／又は携帯型注入器等を含んでよい。医療機器１０２、１０４及び／又は１０６は、例えば、除細動器（例：ＺＯＬＬ（登録商標）  Ｘ−Ｓｅｒｉｅｓ（登録商標）、Ｅ−Ｓｅｒｉｅｓ（登録商標）、又はＲ−Ｓｅｒｉｅｓ（登録商標）機器）、自動体外式除細動器（ＡＥＤ）（例：ＺＯＬＬ（登録商標）  ＡＥＤ  Ｐｒｏ（登録商標）機器、ＺＯＬＬ（登録商標）  ＡＥＤ  Ｐｌｕｓ（登録商標）機器）、着用型自動除細動器（例：ＺＯＬＬ（登録商標）  ＬｉｆｅＶｅｓｔ（登録商標）機器）、携帯型電子注入ポンプ（例：ＺＯＬＬ（登録商標）  Ｐｏｗｅｒ  Ｉｎｆｕｓｅｒ（登録商標）機器）、機器システム（例：ＺＯＬＬ（登録商標）  Ｐｒｏｐａｑ（登録商標）システム）、胸部圧迫補助機器又は技術（例：ＺＯＬＬ（登録商標）  Ｒｅａｌ  ＣＰＲ  Ｈｅｌｐ（登録商標）、ＺＯＬＬ（登録商標）  ＡｕｔｏＰｕｌｓｅ（登録商標）、又はＺＯＬＬ（登録商標）  ＰｏｃｋｅｔＣＰＲ（登録商標））、及び／又は、呼吸補助機器（例：ＩＭＰＡＣＴ（登録商標）  Ｉｎｓｔｒｕｍｅｎｔａｔｉｏｎ  ｖｅｎｔｉｌａｔｏｒｓ）等、であり得る。医療機器１０２、１０４及び／又は１０６は、処置（例えば、除細動ショック、及び／又は薬品の注入等）を提供し、及び／又は、例えば心拍数、血圧、体温、呼吸数、血中酸素値、呼気終末二酸化炭素濃度値、肺機能、血糖値、及び／又は、体重等の様々な生理的パラメータをモニタリング、検出、及び／又は、取得若しくは計算するよう構成され得る。実施形態において、医療機器１０２、１０４及び／又は１０６は、例えば心電図（ＥＣＧ）等の波形を決定及び／又は表示し得る。
【００７３】
実施形態において、医療機器１０２、１０４及び／又は１０６は、同じ場所又は異なる場所に配置される。例えば、ある組織が、１又は複数の医療機器１０２、１０４及び／又は１０６を、様々な施設及び／又は地理的に様々な場所等に設置し得る。実施形態において、医療機器１０２、１０４及び／又は１０６は、単一のエンティティ又は複数の異なるエンティティによって管理され得る。示されるように、異なる医療機器１０２、１０４及び１０６は、異なる種類のネットワーク及び／又はネットワークの組み合わせ等を使用して他の機器と通信するよう構成され得る。例えば、医療機器１０２及び１０４は、無線ローカルアクセスネットワーク（ＷＬＡＮ）１１２を介して通信するよう構成され得るが、医療機器１０６はセルラネットワーク１１４を介して通信するよう構成され得る。実施形態において、医療機器１０２、１０４及び／又は１０６は、複数の異なる種類のネットワークを介して通信を可能にする技術を含み得、それにより、医療機器１０２、１０４及び／又は１０６は、ある種類のネットワークから他の種類のネットワークへと移行することが出来る。
【００７４】
実施形態によると、医療機器１０２、１０４及び／又は１０６は、機器の準備情報、機器の性能情報、及び／又は、臨床イベント情報等の情報を、管理サーバ１０８に提供するよう構成される。機器の準備情報又はデータは、医療機器が設計された目的である機能を果たすための能力を担い得る、医療機器の１又は複数のコンポーネントの状況に関連付けられたあらゆる情報を含んでよい。例えば、機器の準備情報は、１つの又は複数のバッテリ、電極、センサ、及び／又は、通信コンポーネント等の状況、状態、及び／又は電池残量に関連する情報を含んでよい。機器の性能情報又はデータは、医療機器のコンポーネントの性能及び／又は機能に関連するあらゆる情報を含んでよい。例えば、機器の性能情報は、例えば、心停止状況の間に除細動ショックがどのように加えられたか、その状況の間に加えられた、ショックのエネルギー値及び／又はショックの回数等、医療的状況及び／又は緊急事態の間に医療機器が実行した機能に関する情報を含んでよい。臨床イベント情報又はデータは、臨床イベントの間に記録される、患者に関連するあらゆる情報を含んでよい。例えば、臨床イベント情報は、生理的パラメータ、患者の人口統計情報、患者のＥＣＧデータ、機器誘導の（ｐｒｏｍｐｔｉｎｇ）記録、機器の動作及びオペレーション、ＣＰＲ（心肺蘇生）性能データ、不具合、エラー、及び／若しくは音声記録、並びに／又は同様のものを含んでよい。
【００７５】
医療機器１０２、１０４及び／又は１０６は、管理サーバ１０８に通信可能に結合されており、いくつかの実施形態においては、管理サーバ１０８と直接通信するよう構成される一方で、他の実施形態においては、医療機器１０２、１０４及び／又は１０６は、管理サーバ１０８と通信するよう構成される、収集サーバ１１６と通信するよう構成される。実施形態において、効率を改善するため、医療機器１０２、１０４及び／又は１０６の全ては、単一のユニフォームリソースロケータ（ＵＲＬ）に情報を伝送することによって、その情報を管理サーバ１０８に提供するよう構成され得る。管理サーバ１０８及び収集サーバ１１６は、本明細書においてそれぞれ単数形で参照されるが、管理サーバ１０８及び収集サーバ１１６は、複数のサーバインスタンス内に（例えば、サーバクラスタとして）実装され、複数のコンピューティング機器にわたって分散され、及び／又は、複数の仮想マシン内でインスタンス化される等であり得る。
【００７６】
図１に示されるように、ユーザ機器１１８及び１２０は管理サーバ１０８に通信可能に結合され得、管理サーバ１０８により提供されるサービスにアクセスするよう構成され得る。例えば、管理サーバ１０８は、医療機器１０２、１０４及び／又は１０８から受信される情報を、ユーザ機器１１８及び／又は１２０に提供することを容易にし得る。更に、ユーザは管理サーバ１０８を利用して、ユーザ機器１１８及び／又は１２０を介して、医療機器１０２、１０４及び／又は１０８を構成、及び／又は、それらにソフトウェアアップデートを提供等し得る。
【００７７】
本明細書において用いられるように、「通信可能に結合され」という語句は、情報が渡され得るあらゆる結合を指すために、その最も広い意味で用いられる。従って、例えば、通信可能に結合されることは、例えば配線によって電気的に結合されること、例えば光学ケーブルによって光学的に結合されること、及び／又は、例えば無線周波数若しくは他の伝送媒体によって無線結合されることを含む。「通信可能可能に結合されること」はまた、例えば、ネットワーク又は一連の機器及び／又は通信プロトコルを介して等による間接結合又は直接結合を含む。
【００７８】
図１に示される例示的な動作環境１００は、本開示の実施形態の使用又は機能の範囲に関して、いかなる限定を示唆することを意図するものではない。例示的な動作環境１００は、本明細書に例示される任意の単一のコンポーネント又は複数のコンポーネントの組み合わせに関する任意の依存性又は要件を有すると解釈されるべきではない。更に、図１に示される、又は本明細書に記載の複数のコンポーネントのうちの任意の１つ又は複数は、実施形態において、その中に示される他のコンポーネント（及び／又は図示されていないコンポーネント）のうちの様々なものと統合され得、それらの全ては本発明の範囲内であるとみなされる。例えば、収集サーバ１１６は管理サーバ１０８と統合され得、ネットワーク１１０は、ＷＬＡＮ１１２及び／又はセルラネットワーク１１４を含み得る、又はその内部に含まれ得る。
【００７９】
実施形態によると、図１に示される動作環境１００の様々なコンポーネントは、１又は複数のコンピューティング機器上に実装され得る。例えば、医療機器１０２、１０４、１０６のうちの１又は複数と、管理サーバ１０８と、収集サーバ１１６と、ユーザ機器１１８及び１２０とは、１又は複数のコンピューティング機器について、それらを含み得、それらに通信可能に結合され得、及び／又は、それらの中に含まれ得る。コンピューティング機器は、本発明の実施形態を実装するのに適切な任意の種類のコンピューティング機器を含み得る。コンピューティング機器の例としては、「ワークステーション」、「サーバ」、「ラップトップ」、「デスクトップ」、「タブレットコンピュータ」、「ハンドヘルド機器」、及び／又は、医療機器のコンポーネント等の、専用コンピューティング機器又は汎用コンピューティング機器が挙げられ、それらの全ては図１の範囲及び動作環境１００の様々なコンポーネントへの参照内で考慮される。
【００８０】
図２に示されるように、コンピューティング機器２００は、直接的及び／又は間接的に、プロセッサ２０４、メモリ２０６、入力／出力（Ｉ／Ｏ）ポート２０８、Ｉ／Ｏコンポーネント２１０、及び電源２１２のうちの１又は複数の機器を結合する、バス２０２を含む。任意の数の追加のコンポーネント、異なるコンポーネント、及び／又はコンポーネントの組み合わせはまた、コンピューティング機器２００に含まれ得る。バス２０２は１又は複数のバス（例えば、アドレスバス、データバス、及び／又はそれらの組み合わせ等）を表し得る。同様に、実施形態において、コンピューティング機器２００は、多数のプロセッサ２０４、多数のメモリコンポーネント２０６、多数のＩ／Ｏポート２０８、多数のＩ／Ｏコンポーネント２１０、及び／又は、多数の電源２１２を含み得る。更に、任意の数のこれらのコンポーネント及び／又はそれらの組み合わせは、多数のコンピューティング機器２００にわたって分散され及び／又は複製され得る。
【００８１】
明確性のため、図２の様々なコンポーネントは別個のコンポーネントとして示されているが、実際には、コンピューティング機器２００の様々なコンポーネントを描写することは図２ほど明確でない場合がある。例えば、Ｉ／Ｏコンポーネント２１０は、コンピューティング機器２００及び／又はコンピューティング機器２００から分離されている機器に内包される機器を含み得る。他の例として、プロセッサ２０４はメモリを有し得る。そのように、図２の図は１又は複数の実施形態に関連して用いられ得るコンピューティング機器２００の例を図示したものに過ぎず、本明細書に記載の複数の実施形態の様々な態様を達成するコンピュータ実行可能命令を実行し得るコンピューティング機器２００の任意の数の他の構成はまた、本発明の範囲内であるとみなされる。
【００８２】
複数の様々な実施形態に従って、プロセッサ２０４（又は複数のプロセッサ）は、メモリ２０６、及び／又はＩ／Ｏコンポーネント２１０等の様々なエンティティからデータを読み出す。例えば、実施形態において、プロセッサ２０４は、メモリ２０６に格納されるコンピュータ実行可能命令２１４を実行し得る。更に、実施形態において、プロセッサ２０４は、１又は複数のＩ／Ｏコンポーネント２１０からコンピュータ実行可能命令、信号、及び／又は、他の種類の情報を受信し得る。プロセッサ２０４が情報を読み出して操作するように、プロセッサ２０４はメモリ２０６に情報を格納もさせ得る。
【００８３】
実施形態において、メモリ２０６は、揮発性メモリ及び／又は不揮発性メモリの形態でコンピュータ可読媒体を含み、取外し可能、取外し不可能、又はこれらの組み合わせであってよい。媒体例には、ランダムアクセスメモリ（ＲＡＭ）、リードオンリメモリ（ＲＯＭ）、電気的消去可能プログラマブルリードオンリーメモリ（ＥＥＰＲＯＭ）、フラッシュメモリ、光媒体又はホログラム媒体、磁気カセット、磁気テープ、磁気ディスク記憶機器若しくは他の磁気記憶機器、データ伝送、又は、情報を符号化するのに用いられ得、例えば量子状態メモリ及び／又は同様のもの等のコンピューティング機器等によってアクセスされ得る任意の他の媒体、を含む。
【００８４】
実施形態において、メモリ２０６は、プロセッサ２０４に本明細書に記載されるシステムコンポーネントの実施形態の態様を実装させる、及び／又は、本明細書に記載の方法及び／又は手順の実施形態の態様を実行させるためのコンピュータ実行可能命令を格納する。コンピュータ実行可能命令は、例えば、コンピュータコード、マシンが使用できる命令、及び、例えばコンピューティング機器に関連する１つ又は複数のプロセッサによって実行されることが可能なプログラムコンポーネント等の同様のものを含み得る。そのようなプログラムコンポーネントの例が図３に示されており、システムマネージャ３２８、通信コンポーネント３３０、機器ダッシュボード３３２（及びそのコンポーネント）、及び／又はデータベース３３６等を含み得る。本明細書において考慮される機能の一部又は全てはまた、ハードウェア及び／又はファームウェア内に実装されてもよいし、又は代替的に実装されてもよい。
【００８５】
本明細書に記載の実施形態において、１又は複数のプロセッサによって実行されると、コンピュータ実行可能命令は、例えば通信コンポーネントなどの１又は複数のコンポーネントを、１又は複数のプロセッサに開始させ得る。コンポーネントは、プログラムコンポーネント、電気回路、論理モジュール、機械的アセンブリ、及び／又は、ハードウェア、ファームウェア及びソフトウェアの任意の数の異なる種類の組み合わせであり得る、又はそれらを含み得る。「開始」という用語は、その語句が本明細書において用いられるように、インスタンス化、作成、アクティベート、及び／又は利用等を含み得る。つまり、例えば、プロセッサにより開始されるコンポーネントは、プロセッサにより作成、インスタンス化、又は呼び出されるソフトウェアコンポーネントであり得る。他の例として、コンポーネントはプロセッサによってアクティベートされるハードウェア（例えば、電子回路）を含み得る。このように、「モジュール」とも称され得る「コンポーネント」は、ハードウェア、ソフトウェア及びファームウェアのうちの２つ以上の組み合わせとして、又はその内部で、開始及び／又は実装されてよく、１つの機器若しくは場所において開始及び／又はインスタンス化及び／又は配置されてよく、又は、代替的に複数の機器及び／若しくは場所及び／又はネットワーク１１０若しくはクラウド内にわたって分散されてよい。
【００８６】
実施形態において、Ｉ／Ｏポート２０８は、一部は内蔵され得る外部機器及び／又はＩ／Ｏコンポーネント２１０を含む他の機器、コンピューティング機器２００が論理的に結合されることを可能にし得る。Ｉ／Ｏコンポーネント２１０の例としては、マイクロフォン、ジョイスティック、ゲームパッド、サテライトディッシュ、スキャナ、プリンタ、無線機器、キーボード、ペン、音声入力機器、タッチ入力機器、タッチスクリーン機器、対話型ディスプレイ機器、及び、マウス等を含む。実施形態において、Ｉ／Ｏコンポーネント２１０は、例えば表示コンポーネント（例：ディスプレイ、印刷機器、タッチスクリーンＩ／Ｏディスプレイ、等）、及び／又は、通信コンポーネント（例：送受信機、アンテナ、等）などを含み得る。
【００８７】
図２に示される例示的なコンピューティング機器２００は、本開示の実施形態の使用又は機能の範囲に関して、いかなる限定を示唆することを意図するものではない。例示的なコンピューティング機器２００は、本明細書に例示される任意の単一のコンポーネント又は複数のコンポーネントの組み合わせに関する任意の依存性又は要件を有すると解釈されるべきではない。更に、図２に示される複数のコンポーネントのうちの任意の１つ又は複数は、実施形態において、本明細書に図示される他のコンポーネント（及び／又は図示されていないコンポーネント）のうちの様々なものと統合され得、それらの全ては本発明の範囲内であるとみなされる。
【００８８】
図３は、本発明の実施形態による例示的な動作環境３００を示す。例示的な動作環境３００は、ネットワーク３０６を介して医療機器３０４と通信するよう構成される管理サーバ３０２を含む。任意の数の追加の医療機器３０８は、管理サーバ３０２とも通信するよう構成され得る。管理サーバ３０２と医療機器３０４及び／又は３０８との間の通信は、一方向又は双方向であり得る。実施形態によると、ユーザはユーザ機器３１０を利用し管理サーバ３０２と通信し得る。管理サーバ３０２は、例えば、図１に示される管理サーバ１０８であって（又は、それと類似していて）よく、医療機器３０４及び／又は３０８は、例えば、図１に示される医療機器１０２、１０４及び／又は１０６であって（又は、それと類似していて）よく、ネットワーク３０６は、図１に示されるネットワーク１１０、１１２及び１１４のうちの任意の１つ又は複数であって（又は、それと類似していて）よく、ユーザ機器３１０は、図１に示されるユーザ機器１１８及び／又は１２０であって（又は、それと類似していて）よい。
【００８９】
医療機器３０４は、１又は複数のバッテリ３１２により電力を供給され得て、患者に処置を提供し、及び／又は、その患者から生理的パラメータ測定値を取得するよう構成される患者インターフェースコンポーネント３１４と、ネットワーク３０６を介し、情報を管理サーバ３０２へ伝送することを容易にするよう構成される通信コンポーネント３１６とを含み得る。実施形態において、患者インターフェースコンポーネント３１４は、１又は複数の除細動電極（パッド）、及び／又は、１又は複数の注入針等であり得る、又はそれを含み得る。医療機器３０４は、プロセッサ３１８及びメモリ３２０も含み得る。
【００９０】
医療機器３０４は、患者に繋がれている１又は複数の患者インターフェースコンポーネント３１４（例えば、センサ又は電極）から信号を受信してよく、プロセッサ３１８を使用して信号を解析し、様々な生理的パラメータをモニタリング、検出、及び／又は、取得若しくは計算してよい。例えば、プロセッサ３１８は、心拍数、血圧、体温、呼吸数、血中酸素値、呼気終末二酸化炭素濃度値、肺機能、血糖値、及び／又は体重等を、モニタリング、検出、及び／又は、取得若しくは計算し得る。これらの生理的パラメータのうちの任意の１つ又は複数、他の測定されたパラメータ、及び／又は、他の取得されたパラメータ等は、メモリ３２０に格納され得る。いくつかの実施形態において、医療機器３０４は、上述の生理的パラメータ、他の臨床イベント情報、及び／又は、構成オプション等のうちの１又は複数に関連するデータを表示するためのディスプレイ３２２を含む。臨床イベント情報（例えば、臨床イベントの間に医療機器３０４の使用中に記録された、生理的パラメータ、及び／又は、機器使用メトリック等）、自己診断情報、及び／又は、構成情報等はメモリ３２０に格納され得る。
【００９１】
通信コンポーネント３１６は、Ｉ／Ｏポート（例えば、論理ポート、仮想ポート、物理ポート等）、１又は複数のアンテナ、１又は複数の送受信機、及び／又は、１又は複数の受信機等を含み得る。実施形態において、例えば、通信コンポーネント３１６は、例えば、モデムベースダイアルアップ接続に使用するためのＲＳ−２３２ポート、銅又はファイバ１０／１００／１０００イーサネット（登録商標）ポート、Ｂｌｕｅｔｏｏｔｈ（登録商標）又はＷｉＦｉ（登録商標）インターフェース、赤外線ポート、及び／又は、ユニバーサルシリアルバス（ＵＳＢ）ポート等などの、Ｉ／Ｏポートを含み得る。実施形態において、通信コンポーネント３１６は、近距離通信、及び／又は、セルラ通信等を容易にするよう構成されてよい。
【００９２】
実施形態において、医療機器３０４は、管理サーバ３０２へ情報を伝送し、管理サーバ３０２から通信を受信し、及び／又は、患者データ、機器の状態及び履歴、及び／又は、機器エラーログ等の管理を容易にするよう構成され得る。医療機器３０４は、ソフトウェアアップデート及び構成情報を、通信コンポーネント３１６を介して受信するよう構成され得る。実施形態において、医療機器３０４は、自己診断情報、臨床イベント情報、アラーム情報を、自動で（例えば、プログラムされたスケジュールに従って、及び／又はイベントに応答して等）、及び／又は、手動で（例えば、ユーザ入力に応答して）管理サーバ３０２に伝送するよう構成され得る。
【００９３】
図３に示されるように、管理サーバ３０２は、プロセッサ３２４及びメモリ３２６を含むコンピューティング機器上に実装され得る。実施形態において、管理サーバ３０２は、ハードウェア、ソフトウェア、ファームウェア、又はこれらの組み合わせを指してよく、１つのコンピューティング機器、多数のコンピューティング機器、１つの仮想マシン、多数の仮想マシン、及び／又はサービス等であり得る、又はそれらを含み得る。例えば、管理サーバ３０２は、スタンドアロンサーバ機器又はサーババンクであり得る。実施形態において、管理サーバ３０２は、例えば、ユーザ機器３１０等のコンピューティング機器によって実行されるよう構成されるソフトウェアであり得る。例えば、システムマネージャ３２８、通信コンポーネント３３０、及び／又は、機器ダッシュボードサービス３３２等の様々なプログラムコンポーネントが、メモリ３２６に格納され得る。実施形態において、プロセッサ３２４はシステムマネージャ３２８、通信コンポーネント３３０、及び／又は、機器ダッシュボードサービス３３２を実行する。
【００９４】
システムマネージャ３２８は、医療機器３０４及び／又は３０６、及び／又は、機器ダッシュボードサービス３３０等の様々な態様の管理を容易にし得る。例えば、システムマネージャ３２８は、管理サーバ３０２と医療機器３０４及び／又は３０６との間の通信を調整し、ログイン及び認証手続を容易にし、データベース３３６に格納されるユーザアカウント及びアカウント情報３３４を作成、削除、操作、及び管理し、データベース３３６に対して対話し、クエリし、及び／又はインデックスし、他のシステム（例えば、電子カルテ（ＥＭＲ）システム、管理システム、及び／又は、保険／会計システム）との統合を容易にし、関連する法律及び規制の順守を維持するためのオペレーション及び手続を容易にし、及び／又は、管理サーバ３０２の実施形態の様々な態様の構成及び／又はカスタマイズを容易にする等、を行うよう構成され得る。データベース３３６は、１又は複数の表、１又は複数のリレーショナルデータベース、１又は複数の多次元データキューブ、及び／又は、１又は複数の非リレーショナルデータベース等であり得る、又はそれらを含み得る。更に、単一のコンポーネントとして示されているが、データベース３３６は実際、単一のコンピューティング機器上に実装され得る又は多数のコンピューティング機器及び／又はメモリコンポーネント等に分散され得る、例えばデータベースクラスタ等の複数のデータベース３３６であり得る。
【００９５】
通信コンポーネント３３０は、医療機器３０４の通信コンポーネント３１６として類似の態様を含み得、医療機器３０４の通信コンポーネント３１６と通信するよう構成され得る。通信コンポーネント３３０と通信コンポーネント３１６との間のこの通信は、機器同士の直接通信であり得、及び／又は、ネットワーク３０６を介する、及び／若しくは、１又は複数の他の機器３０８、３１０、３３６を介する間接通信でもあり得る。実施形態において、動作環境３００は、収集サーバ（例えば、図１に示される収集サーバ１１２等）を含み得る。その場合、通信コンポーネント３３０は、医療機器３０４の通信コンポーネント３１６と通信するよう構成され得る、収集サーバの通信コンポーネントと通信するよう構成され得る。実施形態において、通信コンポーネント３３０はまた、管理サーバ３０２及び医療機器３０８、ユーザ機器３１０、他の機器、及び／又は他のシステム等の間の通信を容易にするよう構成され得る。
【００９６】
実施形態において、通信コンポーネント３３０は、医療機器３０４及び／又は３０８から、例えば無線通信で、機器の準備情報３３８、機器の性能情報、及び／又は、臨床イベント情報３４０を受信するよう構成され得る。示されるように、受信された情報３３８及び／又は３４０は、データベース３３６に格納され得る。実施形態によると、通信コンポーネントはまた、ＵＳＢフラッシュドライブ、ＣＤ−ＲＯＭディスク、及び／又は、任意の数の他の記憶媒体及び／又は伝送媒体から、情報（例えば、機器の準備情報、機器の性能情報、及び／又は、臨床イベント情報）を受信するよう構成され得る。
【００９７】
通信コンポーネント３１６及び３３０（及び５１２）が機器に関連するボックスとして図３及び図５に示されているが、上述したように、そのような「コンポーネント」又は「モジュール」は、ハードウェア、ソフトウェア及びファームウェアのうち２つ以上の組み合わせとして、又はその内部で、開始及び／又は実装されてよく、１つの機器又は場所において開始及び／又はインスタンス化及び／又は配置されてよく、又は、代替的に複数の機器及び／又は場所にわたって分散されてよい。例えば、通信コンポーネント３１６、３３０及び／又は５１２のうちのいずれか１つは、ハードウェア、ソフトウェア、ファームウェア又はそれらの何らかの組み合わせであり得、複数の機器にわたって分散されている、通信中の情報又はデータを収集している機器と同じ機器内又は機器上で開始されてよく、及び／又は、通信中の情報又はデータを収集している機器とは異なる機器上で開始されてよい。
【００９８】
実施形態によると、機器ダッシュボードサービス３３２は、ユーザの医療機器の管理についてユーザを補助するよう構成されるアプリケーションであり得る。機器ダッシュボードサービス３３２は、ユーザが医療機器を管理する中心的な場所として機能し得る。機器ダッシュボードサービス３３２へのアクセスは ｗｅｂベースであってよく、オプションとして、コンピュータシステム／ネットワークに顧客がアプリケーションを追加し得る。機器ダッシュボードサービス３３２は、任意の数の異なる医療機器と互換性を有し得るよう構成されてよく、ユーザが医療機器及び／又は競合する機器等に関する追加の情報を入力することが出来るよう構成され得る。このようにして、機器ダッシュボードサービス３３２は、実施形態において、医療機器の管理を整理して簡略化すること、医療機器を遠隔モニタリングすること、ＡＥＤソフトウェアを遠隔管理すること、医療機器を遠隔構成すること、臨床イベント情報を閲覧すること、及び／又は、機器の準備（自己診断）情報を閲覧すること等を容易にし得る。
【００９９】
実施形態によると、機器ダッシュボードサービス３３２は、医療機器３０４及び３０６、医療機器３０４及び３０６から受信される情報、及び／又は同様のものの管理を容易にするよう構成され得る。図３に示されるように、機器ダッシュボードサービス３３２は、（ディスプレイ（図示せず）を含み得る）ユーザ機器３１０上のＧＵＩ３４４の表示を容易にするよう構成されるグラフィカルユーザインターフェース（ＧＵＩ）コンポーネント３４２を含む。ＧＵＩ３４４がユーザ機器３１０上で動作中のブラウザ３４６を使用してレンダリングされている様子が図示されているが、実施形態において、ＧＵＩ３４４は、クライアントアプリケーション、ブラウザプラグイン、アプリケーションプラグイン、及び／又は、アプリケーションプログラミングインターフェース（ＡＰＩ）等を使用して提供され得る。ＧＵＩ３４４は、例えば、機器の準備情報、機器の性能情報、臨床イベント情報、構成情報、ソフトウェアステータス及び／又はアップデートに関連する情報、医療機器に対応する位置の情報、ユーザ情報、及びアカウント情報等を含む、任意の数の異なる種類の情報をユーザに表示することを容易にし得る。
【０１００】
実施形態において、例えば、医療機器３０４はＡＥＤであってよく、また、ＧＵＩ３４４は、自己診断レポートから生成される以下の機器情報を表示するよう構成されてよい。機器情報とは、最新の自己診断の結果、機器のシリアルナンバー、電極の状況／使用期限、バッテリの状況／使用期限、機器ソフトウェアの改訂、機器ユーザＩＤ（プログラムされている場合）、及び／又は、機器の自己診断の実行間隔、である。自己診断に不合格となると、該当する場合には、例えば、自己診断に「不合格」となった統合機器、及び／又は、自己診断に不合格となった理由等の情報を集計及び表示することになり得る。
【０１０１】
実施形態によると、機器ダッシュボードサービス３３２は、ＧＵＩ３４４を使用しての表示、印刷、及び／又は転送等され得るレポートを、ＧＵＩコンポーネント３４２に提供させるよう構成されてよい。例えば、機器ダッシュボードサービス３３２は、周期的に、自己診断に合格したことを、電子メール及び／又はＧＵＩ３４４等を介し、ユーザに通知してよい。他の例において、毎日、毎週、及び／又は、毎月のレポートが提供されてよい。更に、実施形態において、レポート、アラート、及び／又は、他の種類のデータが、電子メール、及び／又はショートメッセージサービス（ＳＭＳ）メッセージ等を介し、ユーザに提供されてよい。
【０１０２】
実施形態によると、管理サーバ１０８、３０２は、機器の準備情報又はデータを受信、管理、及び表示するよう構成され得る。機器ダッシュボードサービス３３２は、医療機器３０４の準備状況についての最新の情報を、ユーザに提供するよう構成され得る。この情報は、機器の準備状況（例えば、医療機器３０４が最新の自己診断に合格したかどうかに関するインディケーション）と、電極の使用期限／準備状況と、バッテリ情報（例えば、バッテリに最低１回の救助のために十分な電力が残されているかどうか）とを含み得る。実施形態によると、管理サーバ１０８、３０２は、機器の性能情報又はデータを受信、管理、及び表示するよう構成され得る。
【０１０３】
実施形態によると、管理サーバ１０８、３０２はまた、臨床イベント情報又はデータを受信、管理、及び表示するよう構成され得る。機器ダッシュボードサービス３３２は、医療機器３０４から一度ダウンロードされれば、完全なイベント情報をユーザに提供するよう構成され得る。このデータは、ＨＩＰＰＡに準拠した方法でダウンロードされてよい。ダウンロードされると、ユーザは、メインスクリーンにおいて、基本機器情報と共に、機器の動作及び誘導を閲覧することが可能となり得る。このメインスクリーンから、ユーザは、例えばＥＣＧ及びＣＰＲ解析等の追加のタブへ移動することが可能となり得る。臨床イベント情報がダウンロードされると、機器ダッシュボードサービス３３２は、医療機器がデータを記録した、複数の言語での誘導及び／又は基本情報の表示を提供するよう構成され得る。実施形態によると、臨床イベント情報は、イベントログ及び機器誘導ログ、ＥＣＧ及び波形、ＣＰＲ解析、ＣＰＲ品質誘導、及び、スクリーンを含み得る。
【０１０４】
機器ダッシュボードサービス３３２は更に、構成情報を医療機器３０４及び／又は３０８に提供するよう構成される構成コンポーネント３４８を含む。実施形態において、医療機器３０４は、ユーザによって選択され得る多くの異なるオプションに基づいて構成可能であってよい。ユーザは、医療機器３０４に直接ユーザ入力を提供することによって、及び／又は、構成コンポーネント３４８を介して医療機器３０４に構成情報を提供すること等によって、医療機器３０４を構成することが可能であり得る。実施形態において、例えば、構成コンポーネント３４８は、ＧＵＩ３４４を介してユーザ入力を受信し、様々な構成オプションを構成してよい。構成情報（構成されたオプションを含む）は、構成コンポーネント３４８を使用して、医療機器３０４に提供され得る。実施形態において、例えば、構成情報は構成ファイルで医療機器３０４に提供されてよく、医療機器３０４は、その構成ファイルの読み出しとパース、構成情報の抽出、及び、その構成情報に基づき、医療機器３０４自体を構成するよう構成されてよい。機器ダッシュボードサービス３３２により、同じ構成情報をユーザが管理している（類似の種類の）全ての医療機器に、固有の構成情報をそれぞれの医療機器に、及び／又は、上記の様々な組み合わせを、ユーザが提供することが可能となり得る。実施形態によると、構成コンポーネント３４８は、ネットワーク３０６を通して医療機器３０４に伝送される、及び／又は、記憶媒体（例えば、ＵＳＢフラッシュドライブ）にダウンロードされる等の構成情報を提供し得る。
【０１０５】
任意の数の異なるオプション、特徴、及び／又は、設定等は、構成情報を使用して構成され得る。ユーザによって構成可能な構成オプションの特徴及び／又は設定の種類は、ユーザに割り当てられた役割、法規制の順守による制限、及び／又は、安全性の考慮等に基づいていてよい。実施形態において、例えば、医療機器３０４はＡＥＤであってよく、以下の表１に示される構成オプション及びパラメータは、第１種のユーザ（例えば、非管理者）に利用可能なものであり得、一方、以下の表２に示される構成オプション及びパラメータは、第２種のユーザに利用可能なものであり得る。
【表１】
2018515832.tif 000003
【表２】
2018515832.tif 000004
2018515832.tif 000005
2018515832.tif 000006
2018515832.tif 000007
【０１０６】
図３に示されるように、機器ダッシュボードサービス３３２はまた、医療機器３０４にソフトウェアアップデートを提供するよう構成されるアップデートコンポーネント３５２を含み得る。実施形態によると、アップデートコンポーネント３５２は、ネットワーク３０６を通して医療機器３０４に伝送される、及び／又は、記憶媒体（例えば、ＵＳＢフラッシュドライブ）にダウンロードされる等のソフトウェアアップデートを提供し得る。更に、アップデートコンポーネント３５２は、スケジュールされたソフトウェアアップデート、及び／又は、周期的なソフトウェアアップデート等を可能にするよう構成され得る。
【０１０７】
実施形態において、機器ダッシュボードサービス３３２は、管理サーバ３０２により提供される１又は複数のサービスを使用するためにユーザが登録するのを補助するよう構成される、顧客登録ウィザード３５０を含み得る。顧客登録ウィザード３５０は、ユーザに登録プロセスを段階的に説明し、そのユーザから様々な種類の情報を集め、その情報を様々な適切なサービス、データベース、及び／又は、エンティティ等に送信するよう構成され得る。例えば、登録ウィザード３５０は、特定のユーザ機器、ユーザ、組織、単一の医療機器、医療機器群、及び／又は、ユーザアカウント等に対応するログイン証明書の作成を要請し、及び／又はその作成を容易にし得る。これらのログイン証明書は、第１のサービス及び／又はエンティティに提供され得る。登録ウィザード３５０は、第２のサービス及び／又はエンティティに提供され得るアカウント設定情報の作成を要請し、及び／又はその作成を容易にするよう構成され得る。更に、例えば、登録ウィザード３５０は、第３のサービス及び／又はエンティティに提供され得る、機器保証登録情報を要請するよう構成され得る。任意の数の異なる種類の情報が、ユーザから要求され得、及び／又は、登録手続において生成され得て、登録ウィザード３５０は、任意の数の異なる種類の情報を、任意の数の異なるサービス及び／又はエンティティに提供することを容易にし得る。
【０１０８】
登録プロセスにおいて、ユーザは、機器ダッシュボードサービス３３２に関連する、任意の数の様々な態様、特徴、及び／又は、オプション等を構成し得る。実施形態において、例えば、ユーザが通知頻度を指定することが可能であり得る。その通知頻度は、医療機器３０４が管理サーバ３０２に情報を通信するよう構成されている頻度であり得る。機器ダッシュボードサービス３３２は、実施形態において、階層化された機器の管理、地理的情報に基づいた医療機器のグループ化、使用される言語の選択、及び／又は、流通パートナー向けのポータルの提供等を容易にし得る。
【０１０９】
実施形態によると、機器ダッシュボードサービス３３２は、ユーザの役割に基づく許可を容易にし得る。つまり、実施形態において、特定のアカウント、及び／又は、医療機器群等に関連する各ユーザは、特定の役割を割り当てられ得る。その役割は、様々な種類の情報、及び／又は機能等に対して、ユーザが有するアクセスのレベルを定義する。機器ダッシュボードサービス３３２はまた、各ユーザの責任を識別し、相対的な評価、法規制の順守、及び／又は、内部ポリシーの順守等、を追跡するためのメカニズムを実装し得る。実施形態において、機器ダッシュボードサービス３３２は、医療機器の各種類に関連する異なる多数のユーザ種類を管理するよう構成され得る。
【０１１０】
例として、機器ダッシュボードサービス３３２は、ＡＥＤに関連する様々な種類のユーザを認識するよう構成され得る。つまり、例えば、機器ダッシュボードサービス３３２は、ＡＥＤ機器自体に関連する５つの主要なユーザの役割を認識し得る。その役割とは、ＡＥＤ保守者、ＡＥＤプログラムマネージャ、ＡＥＤ救助者、医療ディレクタ、及び医師、である。明確性及び可能な実施概念を明瞭にする目的で、ＡＥＤに関連するこれらのユーザの役割が本明細書にて説明されているが、本発明の実施形態は、任意の数の異なる種類の医療機器に関連する任意の数の異なるユーザの役割をサポートすることを容易にする。
【０１１１】
実施形態によると、ＡＥＤ保守者が、一群のＡＥＤ（例えば、１から１００以上のＡＥＤ）を保守する任務を負い得る。ＡＥＤ保守者は、全てのＡＥＤがきちんと動作し、最新であり、及び／又は、電流電極及びバッテリを有すること等を確実にする責任を担い得る。ＡＥＤプログラムマネージャは、例えば、ＡＥＤ保守者が存在する多数の場所を管理する任務を負い得る。ＡＥＤプログラムマネージャは、ＡＥＤプログラム全体（会社、学区、軍事基地、及び同様のもの）に対して責任を担い得、全ての場所が内部及び外部要求のどちらも満たすことを確実にする。実施形態において、階層システムを経由して、ＡＥＤプログラムマネージャは、責任を担っている全てのＡＥＤに関連する情報を閲覧する能力を提供され得る。ＡＥＤ救助者は、臨床患者イベントの間、ＡＥＤを操作し得る。
【０１１２】
実施形態において、医療ディレクタは、多数のＡＥＤを経由して医療指示を提供し得る。医療ディレクタの責任は、例えば、医療ディレクタの監督下にあるＡＥＤの全てが適切に保守されていることを確実にすること、全てのＡＥＤのサイトに最新のＣＰＲ／ＡＥＤ資格を保有する対応者がいることを確実にすること、イベント後のサポート及び／又は臨床イベントデータレビューを提供することを含み得る。従って、例えば、医療ディレクタは、場所を迅速に閲覧する能力を提供され得る。その場所とは、例えば、医療的緊急事態に応答するために、機器の準備状況及び場所の準備状況を確認する等の、ＡＥＤ管理の様々な側面に関する順守を確認するために彼らが管理を担当している場所である。更に、実施形態において、ＡＥＤを臨床的に使用したすぐ後に、医師は臨床イベント情報を閲覧する能力を提供され得る。
【０１１３】
同様に、機器ダッシュボードサービス３３２は、多数のダッシュボードユーザの役割を認識するよう構成され得る。例えば、実施形態において、ダッシュボードユーザは、１つのＡＥＤ又は複数のＡＥＤの管理及び保守することに対して責任を担い得る。更に、これらのユーザは、臨床イベント情報のダウンロード及び／又はレビューに対して責任を担い得る。実施形態において、これらのユーザは、４つのユーザの役割（管理者、サイトユーザ、医療ディレクタ／医師、及びＥＭＳ機関）のうちの割り当てられた１又は複数の役割であり得る。
【０１１４】
例えば、管理者は複数の場所に分散する複数のＡＥＤの管理について責任を担い得る。それら複数の場所は、（例えば、国、州、又は町等によって）さまざまであり得、各サイトに特定の責任を担うユーザがいる。管理者は、全てのサイト、及び／又は、複数のサイトグループ等を管理することに責任を担い得る。管理者の責任に関する例示的な活動は、「善きサマリア人」の法の順守を確実にすること、ＡＥＤプログラム順守を確実にすること、機器の準備状況を確実にすること、ＣＰＲ／ＡＥＤ訓練を提供すること、及び、機器構成を容易にすることを含み得る。実施形態において、管理者の主要な任務は、割り当てられた任務がＡＥＤプログラムの管理である場合があり得るので、ＡＥＤ機器の管理を伴わない場合もある。
【０１１５】
実施形態において、サイトユーザは、個々の場所に関連する全てのＡＥＤに対して責任を担い得る。サイトは一顧客に関連した複数の場所のうちの１つであり得るので、サイトユーザは管理者に報告してよい。サイトユーザの責任に関する例示的な活動は、機器の準備状況、機器の性能、及び／又は緊急対応チームの訓練等を確実にすることを含み得る。医療ディレクタ／医師は、複数の場所の複数のＡＥＤに対して責任を担い得て、処方医であってよい。医療ディレクタ／医師は、複数の場所に配備されたＡＥＤに対して責任を担い得る。彼らは、全てのサイトがＡＥＤを適切に保守し、訓練認証に準拠していることを確実にする責任を担い得る。更に、医療ディレクタ／医師はまた、イベント後のサポートを提供し得、及び、臨床イベント情報をレビューし得る。医療ディレクタ／医師の責任に関する例示的な活動は、個々のサイトコンプライアンスを追跡すること、イベント後のサポートを提供すること、及び／又は、臨床イベント情報のレビュー、等を含み得る。更に、実施形態において、ＥＭＳサービスがＰＡＤ（Ｐｕｂｌｉｃ  Ａｃｃｅｓｓ  Ｄｅｆｉｂｒｉｌｌａｔｉｏｎ）プログラムを提供する場合、ＥＭＳ機関はまた、「管理者」であり得る。更に、機器ダッシュボードサービス３３２は、例えば、心停止の緊急事態の最寄りのＡＥＤの場所の発信のアラートをすることを、ＥＭＳ応答ソフトウェアに統合するよう構成され得る。
【０１１６】
実施形態によると、管理サーバ３０２、医療機器３０４、ユーザ機器３１０、及び／又は、例えば管理システム（例えば、図５に示される管理システム５４２）等の他のシステムコンポーネントは、医療機器３０４から受信される情報を処理し、実施形態において、情報及び／又は処理された情報を活用して追加のサービスを容易にするよう構成され得る。例えば、実施形態において、機器の準備情報、機器の性能情報、臨床イベント情報のうちの任意の１つ又は複数は、処理されて、下記の項目にわたる統計的レポートを生成し得る。その項目とは、地理的エリア、顧客、一群の中の機器、機器の種類、特定の年月が経過した機器、バージョン、及び／又は、構成、環境条件（例：標高、平均気温、気温の範囲、平均湿度、湿度の範囲、平均気圧、気圧の範囲、太陽露光レベル及び／又は時間、及び／又は、大気汚染物質の種類及び／又はレベル、等）、使用状況（例：使用頻度、使用の性質、及び／又は、使用期間、等）、ユーザの人口統計値（例：ユーザの役割、ユーザの種類、ユーザの年齢、及び／又は、ユーザの経験値、等）、及び／又は、結果（例：介入成功の方策、予後、及び／又は、診断、等）等である。レポートは、定期的に、手動及び／又は自動等で生成され得、任意の数の機器、ユーザ、ユーザグループ、規制機関、及び／又は臨床医等に提供され得る。
【０１１７】
実施形態において、管理サーバ３０２、医療機器３０４、ユーザ機器３１０、及び／又は、例えば管理システム（例えば、図５に示される管理システム５４２）等の他のシステムコンポーネントは、任意の数の他の機能、サービス、及び／又は、一群の医療機器を管理することに関連する特徴を容易にするよう構成され得る。例えば、ユーザは、医療機器３０４に関連するオーディオ／ビデオ機器に遠隔アクセスし、医療会計及び／又は他の金融取引を容易にし、医療情報への要求に応答し、及び／又は、個人の識別が可能な情報を曖昧にする等を行うことが出来得る。
【０１１８】
図３に示される例示的な動作環境３００は、本開示の実施形態の使用又は機能の範囲に関して、いかなる限定を示唆することを意図するものではない。例示的な動作環境３００は、本明細書に図示される任意の単一のコンポーネント又は複数のコンポーネントの組み合わせに関する任意の依存性又は要件を有すると解釈されるべきではない。更に、図３に示される複数のコンポーネントのうちの任意の１つ又は複数は、実施形態において、その中に図示される他のコンポーネント（及び／又は例示されていないコンポーネント）のうちの様々なコンポーネントと統合され得、それらの全ては本発明の範囲内であるとみなされる。例えば、（管理サーバ３０２の１又は複数のコンポーネント、特徴又は態様を含み得る）ｗｅｂサーバが、医療機器３０４に統合され得、ブラウザ３４６によってアクセス可能であり得、及び、１又は複数の他の医療機器３０８を管理するために使用され得る。医療機器３０４がこのようにｗｅｂサーバを含む状況の実施形態は、例えば、２０１４年３月１４日にＢｒｏｗｎらにより出願された、米国特許出願公開第２０１４／０２６６７９４号明細書「ＰＡＴＩＥＮＴ  ＭＯＮＩＴＯＲ  ＳＣＲＥＥＮ  ＡＧＧＲＥＧＡＴＩＯＮ」に開示されており、あらゆる目的に対して、その内容全体が参照によって本明細書に組み込まれるものとする。
【０１１９】
上述のように、本発明の実施形態は、多数の医療機器、及び／又は、それらから受信される情報の遠隔管理を容易にするよう構成される管理サーバを提供する。図４は、本発明の実施形態による医療機器の管理を容易にする例示的な方法４００を示すフロー図である。図４に示されるように、方法４００の実施形態は、医療機器（例えば、図１に示される医療機器１０２、１０４、及び／又は１０６、及び／又は、図３に示される医療機器３０４及び３０８）により実行され得て、電源オン（ブロック４０２）及び自己診断手順を開始すること（ブロック４０４）を含み得る。実施形態において、医療機器は、プログラムされたスケジュールに従って、１つのバッテリ又は複数のバッテリの装着の際に、電源オン（つまり、電源が入れられる）の際に、及び／又は、ユーザ入力を受信する際に等、定期的に自己診断手順を開始するよう構成され得る。
【０１２０】
実施形態において、自己診断手順は、任意の数の異なる機能及び／又は特徴等を診断するよう構成され得る。図４に示されるように、例示的な方法４００は、患者インターフェースコンポーネントを診断すること（ブロック４０６）と、１つのバッテリ（又は複数のバッテリ）を診断すること（ブロック４０８）とを含む。自己診断手順から得られる機器の準備情報を使用して、機器の状態ファイルが生成され、ローカルメモリコンポーネント内に保存される（ブロック４１０）。実施形態によると、必要な場合には、安全かつ効果的に動作できるように、自己診断手順は、患者インターフェースコンポーネント、バッテリ、及び／又は、通信コンポーネント等の能力を検証するための任意の数の異なるプロトコル及び手順を含み得る。
【０１２１】
実施形態によると、患者インターフェースコンポーネントは、患者とのインタラクションを容易にするよう構成されるあらゆる種類のコンポーネント（例えば、処置提供コンポーネント、センシングコンポーネント、及び／又は、通信コンポーネント等）を含み得る。例えば、ＡＥＤである、又はＡＥＤを含む医療機器の場合、自己診断手順は、除細動電極が機器に適切に接続されていることを検証し、ＥＣＧ信号の取得及び電子機器を処理することが機能することを検証し、除細動器の電子機器が機能し、所定のレベルに充放電を行うことが可能であることを検証し、マイクロプロセッサ電子機器、及びソフトウェアの完全性の適切な機能を検証し、ＣＰＲモニタリングリング及び胸部圧迫深さ検知が機能することを検証し、音声誘導及び／又は視覚インディケータが機能することを検証し、バッテリの電池容量が十分残っているかを検証し、及び／又は、除細動電極に使用可能な電池残量が十分残っているかを検証する、等を含み得る。
【０１２２】
図４に示されるように、方法は更に、サーバに接続すること（ブロック４１２）、及び、ファイルをサーバに転送すること（ブロック４１４）を含み得る。サーバは、例えば、図１に示される管理サーバ１０８及び／又は収集サーバ１１６、及び／又は、図３に示される管理サーバ３０２であり得、又はそれらに類似のものであり得る。任意で、医療機器は、ファイルをサーバに転送した後に電源をオフする（ブロック４１６）よう構成され得る。例示的な方法４００の実施形態はまた、臨床イベントの発生を判断すること（ブロック４１８）、その臨床イベントの発生を判断することに応答して、記録を開始すること（ブロック４２０）を含み得る。いくつかの実施形態において、臨床イベントの発生又は開始は、医療機器を処置モード又は臨床モードにすることによって決定され得る。実施形態において、医療機器は、任意の数の異なる種類の臨床イベント情報（例：心拍数、血圧、体温、呼吸数、血中酸素値、呼気終末二酸化炭素濃度値、肺機能、血糖値、体重、及び／又は心電図、等）を記録するよう構成され得る。医療機器は、いつ臨床イベントが終了したかを決定し（ブロック４２２）、記録を停止し（ブロック４２４）、臨床イベントファイルを生成し保存する（ブロック４２６）。臨床イベント情報を含む臨床イベントファイルは、別の通信及び／又は同様のもので、機器の状態ファイルと共に、サーバに転送され得る（ブロック４１４）。
【０１２３】
図５は、本発明の実施形態による動作環境５００の例示的なオペレーションを示す、概略的なブロック図である。図５に示されるように、動作環境５００は、収集サーバ５０４に通信可能に結合されている医療機器５０２（例えば、ＡＥＤ）を含む。医療機器５０２は、例えば、図１に示される医療機器１０２、１０４及び／又は１０６、及び／又は、図３に示される医療機器３０４及び／又は３０８（又は、これらに類似）であり得、収集サーバは、例えば、図１に示される収集サーバ１１６（又は、それに類似）であり得る。実施形態において、医療機器５０２は、１又は複数のバッテリ、及び／又は、１又は複数の患者インターフェースコンポーネント（例えば、電極）等の状況を評価するために、周期的な自己診断を実行するよう構成され得る。自己診断の結果は、機器の準備情報として、医療機器５０２上のローカルメモリに格納され得る。機器の準備情報は、例えば、自己診断の日時、実行される自己診断の種類、及び／又は、自己診断の結果を含み得る。
【０１２４】
医療機器５０２は、機器の準備情報５０６と臨床イベント情報５０８とを収集サーバ５０４に通信するよう構成される。収集サーバ５０４は、例えば、医療機器５０２の地理的な場所に依存しない、クラウド上にホストされるＳａａＳ（ｓｏｆｔｗａｒｅ−ａｓ−ａ−ｓｅｒｖｉｃｅ）実装であり得る。医療機器５０２はまた、収集サーバ５０４に対して、性能データ、保守ログ、機器識別子（ＩＤ）、及び／又は、機器のシリアルナンバ等を通信し得る。実施形態において、医療機器５０２はグローバルポジショニングシステム（ＧＰＳ）、又は、他の位置特定技術を含み得、位置情報を収集サーバ５０４に通信し得る。他の実施形態において、医療機器５０２は、ＧＰＳ又は他の位置特定技術を含まず、その場合、場所情報が収集サーバ５０４に通信されない。実施形態において、機器ＩＤは、そのテキスト内に医療機器５０２の位置に関する情報を、含むよう構成され得る。実施形態において、様々な種類の情報が、医療機器５０２から収集サーバに、機器履歴ファイル（ＤＨＦ）５１０として送信され得る。ＤＨＦ５１０は、例えば、ある専用のファイルフォーマットを使用して構成され、標準 的なＨＴＴＰ／ＳＳＬを経由して通信されるファイルであり得る。実施形態によると、ＤＨＦ５１０は、任意の数の異なるフォーマットを使用して構成され得、任意の数の異なる通信プロトコルを使用して通信され得る。
【０１２５】
実施形態によると、医療機器５０２は、任意の数の様々な方法で収集サーバ５０４と通信を開始し得る。例えば、医療機器５０２は、手動で（例えば、医療機器５０２へのユーザ入力に応答して）、及び／又は、自動で（例えば、所定のスケジュールに従って、イベント等に応答して、等）、通信を開始し得る。自動構成において、医療機器５０２は、ＤＨＦ５１０を受信すると、及び／又は、任意の他の構成されたスケジュールに従って、定期的に収集サーバ５０４とセッションを開始しようと試みるよう構成され得る。実施形態において、医療機器５０２が収集サーバ５０４との通信の確立に失敗した場合、医療機器５０２は、電源をオフにして、スケジュールに従って通信を再び開始することを試みるのを待つ前に、通信の開始をある特定の回数再試行するよう構成され得る。
【０１２６】
示されるように、収集サーバ５０４は、医療機器５０２からＤＨＦ５１０を受信するよう構成される通信コンポーネント５１２と、ＤＨＦ５１０をパースするよう構成されるパースコンポーネント５１４と、データベース５２０にパースされた情報５１８を保存するよう構成されるインデクシングコンポーネント５１６とを含む。データベース５２０は、リレーショナルデータベース、表形式データベース、及び／又は、多次元データキューブ等を含み得る。更に、データベース５２０は、１又は複数のメモリコンポーネント、及び／又はコンピュータ等にわたって分散された１又は複数のデータベースを表し得る。実施形態によると、収集サーバ５０４は、医療機器５０２に問い合わせを行うよう構成され得、及び／又は、通信する医療機器のレジストリを保持し得るが、他の実施形態においては、収集サーバ５０４は、医療機器に問い合わせを行わず、及び／又は、通信する医療機器のレジストリを保持しない。特定の医療機器５０２に関連する情報は、機器ＩＤ、及び／又は、その医療機器５０２に対応するシリアルナンバに応じて、インデックスされ得る。実施形態において、収集サーバ５０４は、データベース５２０を、その中に含まれる情報をパージすることなく構築し続け得るが、他の実施形態においては、収集サーバ５０４は、データベース５２０からの情報を連続的又は定期的にパージし、新しい情報のための余地を作り得る。
【０１２７】
一実施形態において、医療機器５０２及び／又はそ通信コンポーネント５１２は、サーバ機器５０４からの要求なしに、情報（例えば、機器の準備情報、機器の性能情報、機器臨床情報、及び／又は、他の機器情報）を自動的に伝送するよう構成される。 例えば、医療機器５０２は、機器自己診断が終了すると、その自己診断がスケジュールされたもの又は自動的なものかに関わらず、情報をサーバ機器５０４に自動的に伝送するよう構成され得る。他の実施形態において、医療機器５０２は、スケジュールに従って情報を自動的に伝送するよう構成され得て、そのスケジュールは、医療機器５０２上のメモリ、例えば、メモリ３２０に格納されている。更に他の実施形態において、医療機器５０２は、条件が満たされることに応じて、情報を自動的に伝送するよう構成され得る。例えば、電源がオフにされている（例えば、救急医療用に使用されていない）場合、及び、最後に情報を送信してからある一定の期間が経過した場合、医療機器５０２は情報を自動的に伝送するよう構成され得る。更に他の実施形態において、機器５０２が使用されてきた医療的イベントの後で、機器５０２がそのイベントにおいてもう使われなくなった後で、又は、電源がオフにされた若しくはドッキングステーションにドッキングされたと判断すると、医療機器５０２は、情報を自動的に伝送するよう構成され得る。 他の実施形態において、医療機器５０２は、バッテリレベルがある一定の閾値より下へ低下する場合、及び／又は、機器の準備不良が認められる場合、及び／又は、機器５０２内のコンポーネントについて算出された寿命を超過している場合、及び／又は、機器５０２が再構成され、及び／又は、そのソフトウェアがアップデートされる直前、最中、又は直後に情報を自動的に伝送するよう構成され得る。
【０１２８】
図５に示されるように、動作環境５００はまた、管理サーバ５２２を含み、管理サーバ５２２は、ユーザ機器５２４を介して、医療機器５０２から取得した情報へのユーザアクセスを容易にするよう構成され得る。管理サーバ５２２は、図１に示される管理サーバ１０８及び／又は収集サーバ１１６、及び／又は、図３に示される管理サーバ３０２であって（又は、それらと類似していて）よい。実施形態において、管理サーバ５２２は、様々な医療機器５０２の遠隔保守、モニタリング、及び／又は管理を容易にする。実施形態に示されるように、管理サーバ５２２は医療機器５０２と直接通信せず、収集サーバ５０４を経由してのみ医療機器５０２から情報を受信する。他の実施形態において、管理サーバ５２２は医療機器５０２と直接通信するよう構成され得る。
【０１２９】
管理サーバ５２２は、収集サーバ５０４を介し、任意の数の異なる方法で、医療機器５０２から情報を取得するよう構成され得る。例えば、管理サーバ５２２は、特定のクエリ（例えば、機器固有のクエリ）を介してインデックスされた情報５２８を取得するよう構成されるクエリコンポーネント５２６を含み得る。クエリコンポーネント５２６は、ユーザ入力（例えば、ユーザ機器５２４を介して受信される）に応答して、自動的に、及び／又は、構成されたオプションに従って、等、データベース５２０にクエリするよう構成され得る。実施形態において、収集サーバ５０４は、例えば、収集サーバ５０４により情報が受信された時はいつでも、定期的に、及び／又は、不合格となった自己診断に関連する情報が受信された時はいつでも、等の構成されたオプションに従って、データベース５２０から管理サーバ５２２へインデックスされた情報５２８を送信するよう構成され得る。 信頼性を高めるため、管理サーバ５２２及び／又は収集サーバ５０４は、特定の医療機器５０２に関して受信されるはずの情報が受信されないというイベントにおいて、アラートをユーザ機器５２４に提供するよう構成され得る。このアラートは、電子メール、及び／又は、ポップアップスクリーン等の形式で提供され得る。
【０１３０】
管理サーバ５２２は機器ダッシュボード５３０を含み得、機器ダッシュボード５３０は、ユーザ機器５２４を介してユーザがインタラクトすることが出来るグラフィカルユーザインターフェース（ＧＵＩ）５３２を提供するよう構成される。機器ダッシュボード５３０は、データベース５３４とインタラクトし、特定のユーザ、ユーザ機器、及び／又は、医療機器群等に関連するアカウント情報５３６を、格納、取得、及び／又は、操作するよう構成され得る。オペレーションにおいて、例えば、ユーザは、ユーザーネーム及びパスワードを使用して、機器ダッシュボード５３０によって提供されるサービスにログインすると、そのユーザに登録されている医療機器５０２に関連する情報が提供される。機器ダッシュボード５３０は、医療機器を登録し、全体的なコンプライアンスを表すダッシュボードの特徴（例えば、全ての登録医療機器の保守状態）を閲覧し、保守診断をログし、複数の医療機器及びそれらが配置されているサイトに関する情報を閲覧及び編集することを、顧客が行えるように構成され得る。実施形態において、管理サーバ５２２は、複数の医療機器が配置されている様々なサイトに対応する機器管理のための、役割に基いたシステムを提供する。
【０１３１】
更に図５に示されるように、例示的な動作環境５００は、データベース５２０と１又は複数のシステム又は機器の間のインタラクションを容易にするよう構成される統合コンポーネント５３８を含む。例えば、示されるように、統合コンポーネント５３８はインデックスされた情報５２８（例えば、臨床イベント情報）を電子カルテ（ＥＭＲ）システム５４０及び／又は管理システム５４２等に提供するよう構成され得る。ＥＭＲシステム５４０は、任意のＥＭＲシステム、及び／又は、複数のＥＭＲシステムの組み合わせ等であり得る。実施形態において、管理システム５４２は、例示的な動作環境５００の実施形態の１又は複数の態様を管理するよう構成されるシステムであり得る。例えば、管理システム５４２は、管理サーバ５２２、収集サーバ５０４及び／又は医療機器５０２等を管理し、ホストし、及び／又はそうでなければ、提供するエンティティに関連し得る。管理システム５４２の実施形態は、品質コントロール、ソフトウェアアップデート、構成アップデート、及び／又は、法令順守等を容易にし得る。
【０１３２】
図５に示される例示的な動作環境５００は、本発明の実施形態の使用又は機能の範囲に関して、いかなる限定を示唆することを意図するものではない。例示的な動作環境５００は、本明細書に例示される任意の単一のコンポーネント又は複数のコンポーネントの組み合わせに関する任意の依存性又は要件を有すると解釈されるべきではない。更に、図５に示される又は本明細書に記載のコンポーネントのうちの任意の１つ又は複数は、実施形態において、その中に図示される他のコンポーネント（及び／又は図示されていないコンポーネント）のうちの様々なものと統合され得、それらの全ては本発明の範囲内であるとみなされる。
【０１３３】
本開示の特定の実施形態は、様々な非限定的な例を参照して説明され得る。
例１
【０１３４】
ＡＥＤ等の医療機器３０４は、例えば、オフィスビル等の場所の壁に取り付ける。ＡＥＤは、１又は複数のバッテリ３１２と、１又は複数の患者インターフェースコンポーネント３１４（例えば、電極）とを含む。ＡＥＤは自己診断を実行し、例えば、バッテリ３１２が動作するか否か、及び／又は、緊急の医療的イベントにおいて動作するために十分な電池残量を有しているか否かを判断することにより、機器の準備状況を評価する。ＡＥＤ自己診断はまた、例えば、継続性が妨げられている場合、又は、電極３１４の導入からある一定の期間が経過したことをＡＥＤが認知し、使用期限切れ又は使用期限が近いことをインディケートしている場合、電極３１４が機能しているか否か、及び／又は、交換の必要があるか否かも判断し得る。他の様々な機器及び追加的な機器の準備情報は、ＡＥＤにより観察され、及び／又は、メモリ、例えばメモリ３２０に格納され得る。ＡＥＤ３０４は、ＷｉＦｉ接続により、通信可能にネットワーク３０６に結合され得る。自己診断の後、及び／又は、スケジュールに従って、ＡＥＤ３０４は、機器の準備情報をネットワーク３０６を介してサーバ３０２に送信又は転送する。いくつかの場合には、サーバ３０２により生成又は発信された要求若しくはクエリが有る場合又は無い場合に、及び／又は、自動的に、機器の準備情報の送信又は転送が発生する。他の場合には、ＡＥＤのユーザは、ＡＥＤ３０４上で選択し、機器の準備情報をサーバ３０２にプッシュする。不具合又は機器の準備状況エラー又は状態がＡＥＤ３０４からサーバ３０２へのメッセージ内に表示された場合、本開示の実施形態によると、例えばユーザ機器３１０上で視覚及び／又は音声メッセージを開始することによって、サーバ３０２はユーザに自動的に通知してよい。
【０１３５】
この例示的な実施形態において、これらの段階は、図４のフロー図の左側に従って実行され得る。左側のブロック４０２、４０４、４０６、４０８及び４１０は、右側のブロック４１８、４２０、４２２、４２４及び４２６とは独立して発生し得て、いくつかの機器は、本図の左側、本図の右側のいくつか、及び本図の両側のいくつかの機能を含み得ることに留意されたい。
例２
【０１３６】
ＡＥＤ等の医療機器３０４は、例えば、オフィスビル等の場所の壁に取り付ける。ＡＥＤは自己診断を実行し、例えば、ＡＥＤのソフトウェアが適切にかつ不具合なく動作しているか否か、及び／又は、ＡＥＤ自体が動作状況にある又は内部で機能しているか否かを判断することにより、機器の性能を評価する。他の様々な機器及び追加的な機器の性能情報は、ＡＥＤにより観察され得る、及び／又は、メモリ（例えば、メモリ３２０）に格納され得る。ＡＥＤ３０４は、ＷｉＦｉ接続により、通信可能にネットワーク３０６に結合され得る。自己診断の後、及び／又は、スケジュールに従って、ＡＥＤ３０４は、機器の性能情報を、ネットワーク３０６を介してサーバ３０２に送信又は転送する。いくつかの場合には、サーバ３０２により生成又は発信された要求若しくはクエリが有る場合又は無い場合に、及び／又は、自動的に、機器の性能情報の送信又は転送が発生する。他の場合には、ＡＥＤのユーザは、ＡＥＤ３０４上で選択し、機器の性能情報をサーバ３０２にプッシュする。不具合又は機器の機器の性能エラー又は状況がＡＥＤ３０４からサーバ３０２へのメッセージ内に表示された場合、本開示の実施形態によると、例えばユーザ機器３１０上で視覚及び／又は音声メッセージを開始することによって、サーバ３０２はユーザに自動的に通知してよい。
【０１３７】
この例示的な実施形態において、これらの段階は、図４のフロー図の左側に従って実行され得る。機器の性能は、本開示の実施形態によると、上述の様々な機器の準備情報に対して代替的に又は追加的に評価又は観察される。
例３
【０１３８】
ＡＥＤ等の医療機器３０４は、例えば、オフィスビル等の場所の壁に取り付けられる。救急医療等の医療的イベントの間、ＡＥＤは取り外され、救急医療の間、患者に使用される。ＡＥＤの取り外し及び／又は患者への使用は、ＡＥＤ上で「処置モード」を起動し選択することを伴い得る。「処置モード」は、壁（又は他の場所）に取り付けられているときにＡＥＤが長期間動作するスタンバイモード又は他のモードとは区別され得る。救急医療の間、ＡＥＤは臨床イベント情報を収集し格納する。ＡＥＤ３０４は、ＷｉＦｉ接続により、通信可能にネットワーク３０６に結合され得る。臨床イベントの後、ＡＥＤは、臨床イベント情報をネットワーク３０６を介してサーバ３０２に送信又は転送するよう構成される。いくつかの場合には、サーバ３０２により生成又は発信された要求若しくはクエリが有る場合又は無い場合に、及び／又は、自動的に、臨床イベント情報の送信又は転送が発生する。他の場合には、ＡＥＤのユーザは、ＡＥＤ３０４上で選択し、臨床イベント情報をサーバ３０２にプッシュする。
【０１３９】
この例示的な実施形態において、これらの段階は、本開示の実施形態によると、図４のフロー図の右側に従って実行され得る。
例４
【０１４０】
ＡＥＤ等の医療機器３０４は、例えば、オフィスビルなどの場所の壁に取り付ける。ＡＥＤは、多数の機器の種類のうちの１つであり得、及び／又は、多数の異なるソフトウェアのバージョンのうちの１つを実行し得る。ＡＥＤ管理ユーザ要求に応答して、及び／又は、自動的に、ＡＥＤ３０４は、ＡＥＤの機器の種類及び／又はシリアルナンバ及び／又は現行のソフトウェアバージョンをインディケートするメッセージをサーバ３０２に送信し、サーバ３０２の構成コンポーネント３４８及び／又はアップデートコンポーネント３５２は、機器及び／又は必要なソフトウェアバージョンに対応するソフトウェア又は構成アップデートを、ＡＥＤ３０４に送信する。本開示の実施形態によると、ＡＥＤ３０４の通信コンポーネント３１６のこのような構成によれば、機器又はコンポーネントのアップデートを開始するためにメッセージを複数回往復させる必要がない。ある特定の実施形態において、サーバ３０２はＡＥＤ３０４に、ソフトウェア又は構成アップデートを自動的に送信し得る。
【０１４１】
いくつかの実施形態によると、ユーザはユーザ機器３１０にログインし、ユーザ又は顧客により管理される全ての機器３０４、３０８に対して、ソフトウェア又は構成アップデートを要求する。他の実施形態によると、機器３０４、３０８は、それぞれのＷｉＦｉ接続を介して、それらのソフトウェア又は構成を自動的にアップデートする。
【０１４２】
本開示の実施形態は、例１から４、並びに、他の例及び本明細書に記載の実施形態に関連した上述の特徴の、任意の又は全ての組み合わせのうちの１又は複数の特徴を有するシステム及び方法を含む。例えば、ユーザによるプッシュ及び／又は自動のプッシュを介し、ＡＥＤ３０４はサーバ３０２に１又は複数の臨床イベント情報、機器の準備情報、及び機器の性能情報を伝送するよう構成され得る。いくつかの実施形態によると、これは同時に実施され得る。いくつかの実施形態によると、ソフトウェアアップグレード又は構成アップグレードが、ＡＥＤ３０４及び／又はサーバ３０２を介し、手動で、あるいは、ユーザによって要求され、他の実施形態によると、ソフトウェアアップグレード又は構成アップグレードが自動で要求される。特定の実施形態において、医療機器又はサーバは、１又は複数の臨床イベント情報、機器の準備情報機器の性能情報構成アップデート及び／又はソフトウェアアップデートを、自動又は手動で伝送、プッシュ又はプルし得る。機器とサーバとの間の通信は、一方向又は双方向であってよい。
【０１４３】
本開示の範囲から逸脱することなく、記載された複数の例示的な実施形態に対して、様々な変更及び追加を行うことが出来る。例えば、上述の実施形態は特定の特徴を指すが、本開示の範囲はまた、複数の特徴の異なる組み合わせを含む実施形態、及び、説明された全ての特徴を含まない実施形態も有する。従って、このような全ての代替例、変更例、及び変形例は特許請求の範囲に含まれるものであり、それらの全ての均等例と共に、本開示の範囲に包含されることを意図する。
【図１】
2018515832.tif 000008
【図２】
2018515832.tif 000009
【図３】
2018515832.tif 000010
【図４】
2018515832.tif 000011
【図５】
2018515832.tif 000012
【国際調査報告】
2018515832.tif 000013